(57)【要約】 Ａ）  成分ａ）の物質から誘導される一種またはそれ以上の構造単位、ここで成分ａ）の物質は、オルトリン酸及び一種またはそれ以上のそれの誘導体から選択される；Ｂ）  成分ｂ）の物質から誘導される一種またはそれ以上の構造単位、ここで成分ｂ）の物質は、次式（Ｉ）      Ｒ２−Ｏ−（ＣＨ２ＣＨ２Ｏ）ｕ（Ｃ３Ｈ６Ｏ）ｖ（ＤＯ）ｗ−Ｈ    （Ｉ）で表される一種またはそれ以上の化合物から選択される；  及びｃ）  成分ｃ）の物質から誘導される一種またはそれ以上の構造単位、ここで成分ｃ）の物質は、次式（ＩＩ）ＨＯ−（ＣＨ２ＣＨ２Ｏ）-ａ（Ｃ３Ｈ６Ｏ）ｂ（ＤＯ）ｃ−Ｈ   （ＩＩ）［式中、ａ＋ｂ＋ｃの合計は≧１である］で表される一種またはそれ以上のジオールから選択される；を含むリン酸エステルであって、一分子あたり、式（ＩＩ）の化合物から誘導される構造単位を介して架橋された二つまたはそれ以上のＰ原子を含む、前記リン酸エステルが開示される。  本発明のリン酸エステルは、化粧料組成物、医薬組成物及び皮膚用組成物の製造に有利に使用することができる。【特許請求の範囲】
【請求項１】
Ａ）  成分ａ）の物質から誘導される一種またはそれ以上の構造単位、ここで成分ａ）の物質は、オルトリン酸及びそれの一種またはそれ以上の誘導体から選択され、前記のオルトリン酸の一種またはそれ以上の誘導体は、好ましくは、ポリリン酸、十酸化四リン、リンオキシクロライド及び五塩化リンから選択される；
Ｂ）  成分ｂ）の物質から誘導される一種またはそれ以上の構造単位、ここで成分ｂ）の物質は、次式（Ｉ）
Ｒ２−Ｏ−（ＣＨ２ＣＨ２Ｏ）ｕ（Ｃ３Ｈ６Ｏ）ｖ（ＤＯ）ｗ−Ｈ    （Ｉ）
［式中、Ｒ２は、炭素原子数６〜３０、好ましくは８〜２２、特に好ましくは１２〜１８の線状もしくは分枝状の飽和アルキル基、または炭素原子数６〜３０、好ましくは８〜２２、特に好ましくは１２〜１８の線状もしくは分枝状のモノ不飽和もしくはポリ不飽和のアルケニル基を表し、
Ｄは、炭素原子数４〜２０の線状もしくは分枝状の飽和アルキレン基、炭素原子数４〜２０の線状もしくは分枝状のモノ不飽和もしくはポリ不飽和アルケニレン基、または−ＣＨ（アリール）ＣＨ２−、好ましくは−ＣＨ（フェニル）ＣＨ２−を表し、
ｕは、０〜２００、好ましくは２〜１５０、特に好ましくは５〜１００、就中好ましくは１０〜５０の数を表し、
ｖは、０〜１００、好ましくは２〜５０、特に好ましくは５〜２０の数を表し、
ｗは、０〜１００、好ましくは０〜２０、特に好ましくは０〜１０の数を表し、
そしてここで、式（Ｉ）の化合物からのＣＨ２ＣＨ２Ｏ、Ｃ３Ｈ６Ｏ及びＤＯ基はブロック状にまたはランダム状に分布して配置されていることができる］
で表される一種またはそれ以上の化合物から選択される；  及び
Ｃ）  成分ｃ）の物質から誘導される一種またはそれ以上の構造単位、ここで成分ｃ）の物質は、次式（ＩＩ）
ＨＯ−（ＣＨ２ＣＨ２Ｏ）-ａ（Ｃ３Ｈ６Ｏ）ｂ（ＤＯ）ｃ−Ｈ    （ＩＩ）
［式中、
Ｄは、式（Ｉ）で述べた意味を有し、
ａは、０〜８００、好ましくは０〜２５０、特に好ましくは１０〜２００、就中好ましくは２０〜１００の数を表し、
ｂは、０〜１００、好ましくは０〜５０の数を表し、
ｃは、０〜１００、好ましくは０〜２０の数を表し、
ここでａ＋ｂ＋ｃの合計は≧１、好ましくは５〜１５０であり、そして式（ＩＩ）の化合物からのＣＨ２ＣＨ２Ｏ、Ｃ３Ｈ６Ｏ及びＤＯ基はブロック状にもしくはランダム状に分布して配置されていることができる］
で表される一種またはそれ以上のジオールから選択される；
を含むリン酸エステルであって、一分子あたり、上記式（ＩＩ）の化合物から誘導される構造単位を介して架橋された二つまたはそれ以上のＰ原子を含む前記リン酸エステル。
【請求項２】
成分ａ）の物質から理論的に最大限得ることができるエステル化可能な官能基の少なくとも８０％、好ましくは９０〜１００％、特に好ましくは９５〜１００％がエステル化されていることを特徴とする、請求項１のリン酸エステル。
【請求項３】
式（Ｉ）の化合物から誘導される構造単位中のｖ及びｗが０であることを特徴とする、請求項１または２のリン酸エステル。
【請求項４】
式（Ｉ）の化合物から誘導される構造単位中、ｕが１〜１５０、好ましくは５〜１００、特に好ましくは１０〜５０であることを特徴とする、請求項１〜３の一つまたはそれ以上のリン酸エステル。
【請求項５】
式（ＩＩ）の化合物から誘導される構造単位中のｂ及びｃが０であることを特徴とする、請求項１〜４の一つまたはそれ以上のリン酸エステル。
【請求項６】
式（ＩＩ）の化合物から誘導される構造単位中、ａが１〜８００、好ましくは１０〜２００、特に好ましくは２０〜１００であることを特徴とする、請求項１〜５の一つまたはそれ以上のリン酸エステル。
【請求項７】
式（ＩＩ）の一種またはそれ以上のジオールから誘導される一種またはそれ以上の構造単位が、エチレングリコール、ジエチレングリコール、トリエチレングリコール、テトラエチレングリコール、分子量２００〜３５０００のポリエチレングリコール（ＰＥＧ）、好ましくはＰＥＧ ２００、ＰＥＧ３００、ＰＥＧ４００、ＰＥＧ６００、ＰＥＧ８００、ＰＥＧ１０００、ＰＥＧ１５００、ＰＥＧ２０００、ＰＥＧ３０００、ＰＥＧ３３５０、ＰＥＧ４０００、ＰＥＧ６０００、ＰＥＧ８０００、プロピレングリコール、ジプロピレングリコール、トリプロピレングリコール、ポリプロピレングリコール、ポリブチレングリコール、分子量２００〜３５０００のエチレンオキシド及びプロピレンオキシドからなるコポリマー、１，２−ブタンジオール、１，３−ブタンジオール、１，４−ブタンジオール、１，２−ペンタンジオール、１，３−ペンタンジオール、１，４−ペンタンジオール、１，５−ペンタンジオール、１，２−ヘキサンジオール、１，３−ヘキサンジオール、１，４−ヘキサンジオール、１，５−ヘキサンジオール、１，６−ヘキサンジオール及び１，１２−ドデカンジオールから選択されるジオールから誘導されることを特徴とする、請求項１〜６の一つまたはそれ以上のリン酸エステル。
【請求項８】
式（Ｉ）の一種またはそれ以上の化合物から誘導される一種またはそれ以上の構造単位が、ｕが１〜２００、好ましくは２〜１５０、特に好ましくは５〜１００、就中好ましくは１０〜５０の数を表し、ｖ及びｗが０であり、そしてＲ２−Ｏ−基が、オクタノール、デカノール、ドデカノール、テトラデカノール、ヘキサデカノール、オクタデカノール、エイコサノール、ベヘニルアルコール、８〜２２の炭素鎖画分を有する脂肪アルコール、好ましくはＣ１０／Ｃ１２−脂肪アルコール、Ｃ１２／Ｃ１４−脂肪アルコール、Ｃ１２／Ｃ１５−脂肪アルコール、Ｃ１６／Ｃ１８−脂肪アルコール、分枝状脂肪アルコール、好ましくはゲルベアルコール、モノ不飽和脂肪アルコール、好ましくはデルタ−９−ｃｉｓ−ヘキサデカノール、デルタ−９−ｃｉｓ−オクタデカノール、ｔｒａｎｓ−９−オクタデカノール及びｃｉｓ−デルタ−１１−オクタデカノールから選択されるアルコールから誘導される、構造単位であることを特徴とする、請求項１〜７の一つまたはそれ以上のリン酸エステル。
【請求項９】
該リン酸エステル中に含まれる式（Ｉ）の一種またはそれ以上の化合物から誘導される構造単位の総数、好ましくは該リン酸エステル中に含まれる、式（Ｉ）中、ｕが１〜２００、好ましくは２〜１５０、特に好ましくは５〜１００、就中好ましくは１０〜５０の数を表し、そしてｖ及びｗが０である同式の一種またはそれ以上の化合物から誘導される構造単位の総数が、４〜２０、好ましくは４〜１０、特に好ましくは４〜６であることを特徴とする、請求項１〜８の一つまたはそれ以上のリン酸エステル。
【請求項１０】
成分ｂ）の物質及び成分ｃ）の物質から誘導される構造単位中で該リン酸エステル中に含まれるエチレンオキシド単位の総数が、式（Ｉ）の化合物に由来する脂肪アルコール末端基あたりで、合計で、３０〜１００、好ましくは４０〜８０であることを特徴とする、請求項１〜９の一つまたはそれ以上のリン酸エステル。
【請求項１１】
成分ａ）の物質から誘導される構造単位が、次式（Ａ１）〜（Ａ３）
【化１】
2010535254.tif 000020
［式中、
Ｍは、それぞれ互いに独立して、Ｈ＋または対イオンを意味し、前記対イオンは、Ｌｉ＋、Ｎａ＋、Ｋ＋、Ｍｇ＋＋、Ｃａ＋＋、ＡＩ＋＋＋、ＮＨ４＋及び第四アンモニウムイオン［ＨＮＲ１Ｒ２Ｒ３］＋から選択され、ここでＲ１、Ｒ２及びＲ３は、互いに独立して、水素、炭素原子数１〜２２の線状もしくは分枝状アルキル基、炭素原子数２〜２２の線状もしくは分枝状のモノ不飽和もしくはポリ不飽和アルケニル基、炭素原子数２〜１０の線状モノ−ヒドロキシアルキル基、好ましくはモノ−ヒドロキシエチルもしくはモノ−ヒドロキシプロピル基、並びに炭素原子数３〜１０の線状もしくは分枝状ジ−ヒドロキシアルキル基であることができる］
で表される構造単位から選択され、好ましくは式（Ａ１）の構造単位であることを特徴とする、請求項１〜１０の一つまたはそれ以上のリン酸エステル。
【請求項１２】
成分ａ）、ｂ）及びｃ）の物質から誘導される構造単位からなることを特徴とする、請求項１〜１１の一つまたはそれ以上のリン酸エステル。
【請求項１３】
増粘剤、コンシステンシー付与剤、乳化剤、官能性付与添加剤、可溶化剤、分散剤、滑剤、粘着剤または安定化剤としての請求項１〜１２の一つまたはそれ以上の一種またはそれ以上のリン酸エステルの使用。
【請求項１４】
消臭用調合物または発汗抑制用調合物を皮膚に使用した後の衣服への白色の残渣の形成を減少させるための、消臭用調合物または発汗抑制用調合物、特にアルミニウム塩、好ましくはアルミニウムクロロハイドレートまたはアルミニウム−ジルコニウム−錯体塩を含む消臭調合物または発汗抑制調合物中での、請求項１〜１２の一つまたはそれ以上の一種またはそれ以上のリン酸エステルの使用。
【請求項１５】
請求項１〜１２の一つまたはそれ以上の一種またはそれ以上のリン酸エステルを含むことを特徴とする、化粧料組成物、医薬組成物または皮膚用組成物。
【請求項１６】
水性、水性−アルコール性または水性−界面活性剤系組成物、エマルション、懸濁液、分散体、粉剤または噴霧剤の形で存在することを特徴とする、請求項１５の組成物。
【請求項１７】
２〜１０、好ましくは２〜６、特に好ましくは２．５〜５、就中好ましくは３〜４．５のｐＨ値を有することを特徴とする、請求項１５または１６の組成物。
【請求項１８】
２．５〜５のｐＨ値を有し、かつ全組成物を基準にして０．０５〜３．０重量％、好ましくは０．０５〜２．０重量％、特に好ましくは０．１〜１．０重量％の割合で抗菌作用を有する一種またはそれ以上の有機酸、好ましくは抗菌作用を有するカルボン酸を含むことを特徴とする、請求項１５〜１７の一つまたはそれ以上の組成物。
【請求項１９】
一種またはそれ以上の電解質を含むことを特徴とする、請求項１５〜１８の一つまたはそれ以上の組成物。
【請求項２０】
一種またはそれ以上の電解質の含有率が、全組成物を基準にして、０．１〜２０．０重量％、好ましくは０．２〜１０．０重量％、特に好ましくは０．５〜５．０重量％であることを特徴とする、請求項１９の組成物。
【請求項２１】
過酸化水素、または過酸化水素を放出する物質を含み、かつ好ましくはゲルの形で存在することを特徴とする、請求項１５〜２０の一つまたはそれ以上の組成物。
【請求項２２】
請求項１〜１２の一つまたはそれ以上の一種またはそれ以上のリン酸エステルを、完成した組成物を基準にして、０．０１〜１０．０重量％、好ましくは０．１〜６．０重量％、特に好ましくは０．５〜３．０重量％の量で含むことを特徴とする、請求項１５〜２１の一つまたはそれ以上の組成物。
【請求項２３】
一種またはそれ以上の界面活性剤を含むことを特徴とする、請求項１５〜２２の一つまたはそれ以上の組成物。
【発明の詳細な説明】
【技術分野】
【０００１】
本発明は、リン酸もしくはリン酸誘導体、場合によりアルコキシル化された脂肪アルコール、及びジオールからなるエステル、及び会合性増粘剤、特に化粧料組成物、医薬組成物または皮膚用（ｄｅｒｍａｔｏｌｏｇｉｓｃｈ）組成物中での会合性増粘剤としてのそれの使用に関する。
【０００２】
化粧品には高い要求が課せられる。これらは、透明な外観を有し、毒性及び環境の面での懸念がなく、心地良い皮膚感を生じさせ、かつ広いｐＨ範囲で一定の優れたレオロジー挙動を有するべきである。
【０００３】
水性または溶剤含有多成分系、例えばエマルションまたは懸濁液は、経済的な理由、使用上の理由または安定性に関する理由から、多くの場合に比較的高い粘度に調節もしくは増粘される。
【０００４】
例えば、エマルションまたは懸濁液の外部または内部相の粘度を高めることによって、このような系の各成分が分離するまでの時間を大きく延長し得ることが達成することができ、これは貯蔵時間の延長となって現れる。また、多くの製品において、粘度を高めることによって、特に平坦ではない表面上での均一な塗り性も向上される。
【０００５】
より均一に塗られること及び長められた作用期間によって有効性が高められる。上記の使用上の利点の他に、このような調合物の高い粘度は、製造、包装、容器の移し替え及び貯蔵並びに輸送の際も更なる利点を供する。
【０００６】
技術文献には、水性または溶剤含有系、エマルションまたは懸濁液のレオロジー性を調節するために、多数の様々な系が記載されている。例えば、セルロースエーテル及び他のセルロース誘導体（例えばカルボキシメチルセルロース、ヒドロキシエチルセルロース）、ゼラチン、デンプン及びデンプン誘導体、アルギン酸ナトリウム、脂肪酸ポリエチレングリコールエステル、寒天、トラガンスまたはデキストリンなどが知られている。合成ポリマーとしては、様々な材料、例えばポリビニルアルコール、ポリアクリルアミド、ポリアクリル酸及びポリアクリル酸の種々の塩、ポリビニルピロリドン、ポリビニルメチルエーテル、ポリエチレンオキシド、無水マレイン酸とビニルメチルエーテルからなるコポリマー、並びに上記の化合物からなる種々の混合物及びコポリマーが使用される。
【０００７】
しかし、上記の化合物は、使用時に種々の欠点を有する。例えば、セルロース誘導体または一般的に天然の原料に基づく材料及びこれらから得られる調合物はバクテリアに対して非常に影響を受けやすい。応用技術的には、これらの場合は、大概は、不快な“糸を引く”ゲルの形成が目立つ。脂肪酸ポリエチレングリコールエステルは水の存在下に加水分解を起こす傾向があり、この際、生じた不溶性の脂肪酸は、望ましくない濁りを発生させる。天然物由来の増粘剤（例えば寒天またはトラガンス）は、その由来に応じて大きく変動する組成を有する。
【０００８】
米国特許第５，１２９，４６２号明細書（特許文献１）は、増粘剤としてポリエチレングリコール−ポリオール脂肪酸エステル、特にＰＥＧペンタエリトリトール脂肪酸エステルを含むシャンプー調合物を開示している。この部類の化合物の加工及び調合性は、それらの高い融点または流動点によって損なわれる。
【０００９】
欧州特許出願公開第１５１８９００号明細書（特許文献２）及び欧州特許出願公開第１３４４５１８号明細書（特許文献３）は、増粘剤として、水性、水性−アルコール性及び水性−界面活性剤系調合物のための分散剤として、及びエマルション及び懸濁液用の乳化剤、増粘作用を有する懸濁剤として及びコンシステンシー付与剤として、オキシアルキル化されたポリグリセリンエステルを含む化粧料調合物及び医薬調合物を開示している。
【００１０】
上記の文献に記載の会合性増粘剤は、一方では、特にこれらが濁ったゲルしか形成しない純粋に水性の系中においてのそれらの増粘性能に関して、他方で低いｐＨ値でのそれらの安定性に関しても未だ改良の可能性がある。５未満のｐＨ値では、それらのゲル及び増粘化された界面活性剤溶液は貯蔵安定性ではなく、それどころか非常に短時間のうちに粘度が低下してしまう。
【先行技術文献】
【特許文献】
【００１１】
【特許文献１】米国特許第５，１２９，４６２号明細書
【特許文献２】欧州特許出願公開第１５１８９００号明細書
【特許文献３】欧州特許出願公開第１３４４５１８号明細書
【発明の概要】
【００１２】
それ故、本発明の課題は、化粧料に使用するのに適し、調合物において透明な外観を与え、そして強酸性の媒体中においても、温度負荷及び長期の貯蔵期間下に高い増粘力を発揮し、そしてこれらの性質と優れた増粘性能とを兼ね備える、新規の部類の物質を提供することであった。
【００１３】
驚くべきことに、上記の課題は、場合によりアルコキシル化された脂肪アルコールとのリン酸のエステルまたはリン酸誘導体のエステルであって、リン原子が、ジオールから誘導される基を解して架橋されていることを特徴とする前記エステルによって解決されることが見出された。
【００１４】
すなわち、本発明の対象は、
Ａ）  成分ａ）の物質から誘導される一種またはそれ以上の構造単位、但しこの際、成分ａ）の物質は、オルトリン酸及び一種またはそれ以上のそれらの誘導体から選択され、ここでオルトリン酸の前記一種またはそれ以上の誘導体は、好ましくは、ポリリン酸、十酸化四リン、リンオキシクロライド及び五塩化リンから選択される；
Ｂ）  成分ｂ）の物質から誘導される一種またはそれ以上の構造単位、但しこの際、成分ｂ）の物質は、次式（Ｉ）の一種またはそれ以上の化合物から選択される；
Ｒ２−Ｏ−（ＣＨ２ＣＨ２Ｏ）ｕ（Ｃ３Ｈ６Ｏ）ｖ（ＤＯ）ｗ−Ｈ    （Ｉ）
［式中、
Ｒ２は、炭素原子数６〜３０、好ましくは８〜２２、特に好ましくは１２〜１８の線状もしくは分枝状の飽和アルキル基、または炭素原子数６〜３０、好ましくは８〜２２、特に好ましくは１２〜１８の線状もしくは分枝状のモノもしくはポリ不飽和アルケニル基を表し、
Ｄは、炭素原子数４〜２０の線状もしくは分枝状の飽和アルキレン基、炭素原子数４〜２０の線状もしくは分枝状のモノもしくはポリ不飽和アルケニル基、または−ＣＨ（アリール）ＣＨ２−、好ましくは−ＣＨ（フェニル）ＣＨ２−を表し、
ｕは、０〜２００の数、好ましくは２〜１５０の数、特に好ましくは５〜１００の数、就中好ましくは１０〜５０の数を表し、
ｖは、０〜１００の数、好ましくは０〜５０の数、特に好ましくは０〜２０の数を表し、
ｗは、０〜１００の数、好ましくは０〜２０の数、特に好ましくは０〜１０の数を表し、
この際、前記式（Ｉ）の化合物からのＣＨ２ＣＨ２Ｏ、Ｃ３Ｈ６Ｏ及びＤＯ基はブロック状にまたはランダム状に分布して配置されていることができる］
及び
Ｃ）  成分ｃ）の物質から誘導される一種またはそれ以上の構造単位、但しこの際、成分ｃ）の物質は、次式（ＩＩ）の一種またはそれ以上のジオールから選択される；
ＨＯ−（ＣＨ２ＣＨ２Ｏ）ａ（Ｃ３Ｈ６Ｏ）ｂ（ＤＯ）ｃ−Ｈ   （ＩＩ）
［式中、   
Ｄは、式（Ｉ）の場合と同じ意味を有し、
ａは、０〜８００の数、好ましくは０〜２５０の数、特に好ましくは１０〜２００の数、就中好ましくは２０〜１００の数を表し、
ｂは、０〜１００の数、好ましくは０〜５０の数を表し、
ｃは、０〜１００の数、好ましくは０〜２０の数を表し、
この際、ａ＋ｂ＋ｃの合計は≧１、好ましくは５〜１５０であり、そして上記式（ＩＩ）の化合物からのＣＨ２ＣＨ２Ｏ、Ｃ３Ｈ６Ｏ及びＤＯ基は、ブロック状にまたはランダム状に分布して配置されていることができる］
を含むリン酸エステルであって、一分子あたり、上記式（ＩＩ）の化合物から誘導される構造単位を介して架橋された二つまたはそれ以上のＰ原子を含む前記リン酸エステルである。
【発明を実施するための形態】
【００１５】
本発明のリン酸エステルは少なくとも二つのリン原子を含み、４つのリン原子からは線状または分枝状の構造を有することができる。
【００１６】
前記式（Ｉ）の化合物から選択される成分ｂ）の物質から誘導される、本発明のリン酸エステルに含まれる構造単位は、次式（Ｉ’）に相当する。
Ｒ２−Ｏ−（ＣＨ２ＣＨ２Ｏ）ｕ（Ｃ３Ｈ６Ｏ）ｖ（ＤＯ）ｗ−      （Ｉ’）
［式中、Ｒ２、Ｄ、ｕ、ｖ及びｗは、式（Ｉ）の場合について上に述べた意味を有する］
式（ＩＩ）の化合物から選択される成分ｃ）の物質から誘導される、本発明のリン酸エステル中に含まれる構造単位は次式（ＩＩ’）に相当する。
−Ｏ−（ＣＨ２ＣＨ２Ｏ）ａ（Ｃ３Ｈ６Ｏ）ｂ（ＤＯ）ｃ−          （ＩＩ’）
［式中、ａ、ｂ、ｃ及びＤは、式（ＩＩ）の場合について上に述べた意味を有する］
本発明にとって重要な点は、本発明のリン酸エステルが、それぞれ、成分ａ）の物質から誘導される少なくとも一種の構造単位、式（Ｉ’）に従う少なくとも一種の構造単位、及び式（ＩＩ’）に従う少なくとも一種の構造単位を含むことである。
【００１７】
本発明のリン酸エステルは、酸素−酸素結合−Ｏ−Ｏ−を含まない。成分ａ）、ｂ）及びｃ）の物質から誘導される構造単位は、一つの酸素原子−Ｏ−のみを介して互いに結合している。
【００１８】
例えば、成分ｂ）及びｃ）の物質から誘導される構造単位が、各々、成分ａ）の物質から誘導される構造単位に結合し、ここで成分ａ）の物質から誘導される構造単位が次の構造、すなわち
【００１９】
【化１】
2010535254.tif 000002
を有する、本発明のリン酸エステルの部分構造は次の構造を有するであろう。
R2-O-(CH2CH2O)u(C3H6O)v(DO)w-P(=O)(-O-)-O-(CH2CH2O)-a(C3H6O)b(DO)c-
この部分構造において例えばｕ＝１、ｖ＝ｗ＝０、ａ＝１及びｂ＝ｃ＝０である場合には、その構造は次のようになるであろう。
【００２０】
【化２】
2010535254.tif 000003
この構造単位中には酸素−酸素結合は含まれない。
【００２１】
本発明の好ましい実施形態の一つでは、リン酸エステル１分子あたり成分ｂ）の物質から誘導される構造単位の数は、２またはそれ以上、好ましくは３またはそれ以上である。
【００２２】
本発明の更に別の好ましい実施形態の一つでは、Ｒ２は、炭素原子数６〜３０、好ましくは８〜２２、特に好ましくは１２〜１８の線状もしくは分枝状の飽和アルキル基を表す。
【００２３】
本発明の更に別の好ましい実施形態の一つでは、成分ａ）の物質から理論的に最大に得ることができる、リン酸エステル中のエステル可能な官能基の少なくとも８０％、好ましくは９０〜１００％、特に好ましくは９５〜１００％がエステル化される。
【００２４】
リン原子上の残りの遊離の原子価、すなわちエステル化可能な官能基の未エステル化部分は、酸基Ｐ−ＯＨ、またはＰ−Ｏ対イオンの形の基であることができ、この際、この対イオンは、Ｌｉ＋、Ｎａ＋、Ｋ＋、Ｍｇ＋＋、Ｃａ＋＋、ＡＩ＋＋＋、ＮＨ４＋及び第四アンモニウムイオン［ＨＮＲ１Ｒ２Ｒ３］＋から選択され、ここで、Ｒ１、Ｒ２及びＲ３は、互いに独立して、水素、炭素原子数１〜２２の線状もしくは分枝状アルキル基、炭素原子数２〜２２の線状もしくは分枝状でモノ不飽和もしくはポリ不飽和アルケニル基、炭素原子数２〜１０の線状モノ−ヒドロキシアルキル基、好ましくはモノ−ヒドロキシエチル−もしくはモノ−ヒドロキシプロピル基、並びに炭素原子数３〜１０の線状もしくは分枝状ジ−ヒドロキシアルキル基であることができる。
【００２５】
本発明のリン酸エステル中の未エステル化リン原子価（Ｐ−ＯＨ）の中和度は０〜１００％の範囲であることができる。本発明の好ましい実施形態の一つでは、中和度は０〜２０％である。本発明の他の好ましい実施形態の一つでは、中和度は２０．１〜１００％である。
【００２６】
本発明の更に別の好ましい実施形態の一つでは、式（Ｉ）の化合物から誘導される構造単位中のｖ及びｗは０である。
【００２７】
本発明の更に別の好ましい実施形態の一つでは、式（Ｉ）の化合物から誘導される構造単位中のｕは１〜１５０、好ましくは５〜１００、特に好ましくは１０〜５０である。
【００２８】
本発明の更に別の好ましい実施形態の一つでは、式（ＩＩ）の化合物から誘導される構造単位中のｂ及びｃは０である。
【００２９】
本発明の更に別の好ましい実施形態の一つでは、式（ＩＩ）の化合物から誘導される構造単位中のａは１〜８００、好ましくは１０〜２００、特に好ましくは２０〜１００である。
【００３０】
本発明の更に別の好ましい実施形態の一つでは、式（ＩＩ）の一種またはそれ以上のジオールから誘導される上記一種またはそれ以上の構造単位は、エチレングリコール、ジエチレングリコール、トリエチレングリコール、テトラエチレングリコール、分子量が２００〜３５０００のポリエチレングリコール（ＰＥＧ）、好ましくはＰＥＧ２００、ＰＥＧ３００、ＰＥＧ４００、ＰＥＧ６００、ＰＥＧ８００、ＰＥＧ１０００、ＰＥＧ１５００、ＰＥＧ２０００、ＰＥＧ３０００、ＰＥＧ３３５０、ＰＥＧ４０００、ＰＥＧ６０００、ＰＥＧ８０００、プロピレングリコール、ジプロピレングリコール、トリプロピレングリコール、ポリプロピレングリコール、ポリブチレングリコール、分子量２００〜３５０００のエチレンオキシド及びプロピレンオキシドからなるコポリマー、１，２−ブタンジオール、１，３−ブタンジオール、１，４−ブタンジオール、１，２−ペンタンジオール、１，３−ペンタンジオール、１，４−ペンタンジオール、１，５−ペンタンジオール、１，２−ヘキサンジオール、１，３−ヘキサンジオール、１，４−ヘキサンジオール、１，５−ヘキサンジオール、１，６−ヘキサンジオール及び１，１２−ドデカンジオールから選択されるジオールから誘導される。
【００３１】
本発明の更に別の好ましい実施形態の一つでは、上記式（Ｉ）の一種またはそれ以上の化合物から誘導される前記一種またはそれ以上の構造単位は、ｕが１〜２００、好ましくは２〜１５０、特に好ましくは５〜１００、就中好ましくは１０〜５０の数を表し、ｖ及びｗが０であり、そしてＲ２−Ｏ−基が、オクタノール、デカノール、ドデカノール、テトラデカノール、ヘキサデカノール、オクタデカノール、エイコサノール、ベヘニルアルコール、８〜２２のＣ鎖画分を有する脂肪アルコール、好ましくはＣ１０／Ｃ１２−脂肪アルコール、Ｃ１２／Ｃ１４−脂肪アルコール、Ｃ１２／Ｃ１５−脂肪アルコール及びＣ１６／Ｃ１８−脂肪アルコール、分枝状脂肪アルコール、好ましくはゲルベアルコール、及び単不飽和脂肪アルコール、好ましくはデルタ−９−ｃｉｓ−ヘキサデカノール、デルタ−９−ｃｉｓ−オクタデカノール、ｔｒａｎｓ−９−オクタデカノール、及びｃｉｓ−デルタ−１１−オクタデカノールから選択されるアルコールから誘導される構造単位である。
【００３２】
本発明の特に好ましい実施形態の一つでは、式（Ｉ）の一種またはそれ以上の化合物から誘導される一種またはそれ以上の構造単位は、エチレンオキシド単位数が１０〜５０のＣ１６／１８−脂肪アルコールエトキシレートから誘導される構造単位、好ましくはエチレンオキシド単位数が１１のＣ１６／１８−脂肪アルコールエトキシレート、エチレンオキシド単位数が２５のＣ１６／１８−脂肪アルコールエトキシレート、及びエチレンオキシド単位数が５０のＣ１６／１８−脂肪アルコールエトキシレートから選択される物質から誘導される構造単位である。
【００３３】
本発明の更に別の特に好ましい実施形態の一つでは、式（Ｉ）の一種またはそれ以上の化合物から誘導される、該リン酸エステル中に含まれる構造単位の総数、好ましくは、ｕが１〜２００の数、好ましくは２〜１５０の数、特に好ましくは５〜１００の数、就中好ましくは１０〜５０の数を表し、かつｖ及びｗが０である前記式（Ｉ）の一種またはそれ以上の化合物から誘導される、該リン酸エステル中に含まれる構造単位の総数は、４〜２０、好ましくは４〜１０、特に好ましくは４〜６である。
【００３４】
本発明の更に別の好ましい実施形態の一つでは、成分ｂ）の物質及び成分ｃ）の物質から誘導される構造単位中の、リン酸エステル中に含まれるエチレンオキシ単位の総数は、一緒になって、式（Ｉ）の化合物に由来する脂肪アルコール末端基当たり、３０〜１００、好ましくは４０〜８０である。
【００３５】
更に別の好ましい本発明によるリン酸エステルは、成分ａ）の物質から誘導される構造単位が、式（Ａ１）〜（Ａ３）の構造単位から選択されることを特徴とする。
【００３６】
【化３】
2010535254.tif 000004
式中、
Ｍは、それぞれ互いに独立して、Ｈ＋または対イオンを意味し、そして対イオンは、Ｌｉ＋、Ｎａ＋、Ｋ＋、Ｍｇ＋＋、Ｃａ＋＋、ＡＩ＋＋＋、ＮＨ４＋及び第四アンモニウムイオン［ＨＮＲ１Ｒ２Ｒ３］＋から選択され、ここでＲ１、Ｒ２及びＲ３は、互いに独立して、水素、炭素原子数１〜２２の線状もしくは分枝状アルキル基、炭素原子数２〜２２の線状もしくは分枝状のモノ不飽和もしくはポリ不飽和アルケニル基、炭素原子数２〜１０の線状モノ−ヒドロキシアルキル基、好ましくはモノ−ヒドロキシエチル−もしくはモノ−ヒドロキシプロピル基、並びに炭素原子数３〜１０の線状もしくは分枝状ジ−ヒドロキシアルキル基であることができ、好ましくは式（Ａ１）の構造単位である。
【００３７】
本発明の更に別の好ましい実施形態の一つでは、該リン酸エステルは、成分ａ）、ｂ）及びｃ）の物質から誘導される構造単位からなる。
【００３８】
本発明の更に別の好ましい実施形態では、本発明のリン酸エステルは次式（ＩＩＩ）の化合物から選択される。
【００３９】
Ｅｘ＋２ＶｘＭｙ      （ＩＩＩ）
式中、
Ｅは、次式（ＩＩＩａ）の基であり、
【００４０】
【化４】
2010535254.tif 000005
Ｖは、次式（ＩＩＩｂ）の基であり、
【００４１】
【化５】
2010535254.tif 000006
Ｍは、次式（ＩＩＩｃ）の基であり、
【００４２】
【化６】
2010535254.tif 000007
Ｒａは、それぞれ互いに独立して、−ＯＨ、−ＯＳ、または次式（Ｉ’）の基であり、
Ｒ２−Ｏ−（ＣＨ２ＣＨ２Ｏ）ｕ（Ｃ３Ｈ６Ｏ）ｖ（ＤＯ）ｗ−  （Ｉ’）
ここで、
Ｓは対イオンであり、
Ｒ２は、炭素原子数６〜３０、好ましくは８〜２２、特に好ましくは１２〜１８の線状もしくは分枝状の飽和アルキル基、または炭素原子数６〜３０、好ましくは８〜２２、特に好ましくは１２〜１８の線状もしくは分枝状でモノ不飽和もしくはポリ不飽和のアルケニル基を表し、
Ｄは、炭素原子数４〜２０の線状もしくは分枝状の飽和アルキレン基、炭素原子数４〜２０の線状もしくは分枝状でモノ不飽和もしくはポリ不飽和のアルケニレン基、または−ＣＨ（アリール）ＣＨ２−、好ましくは−ＣＨ（フェニル）ＣＨ２−を表し、
ｕは、０〜２００の数、好ましくは２〜１５０の数、特に好ましくは５〜１００の数、就中好ましくは１０〜５０の数を表し、
ｖは、０〜１００の数、好ましくは０〜５０の数、特に好ましくは０〜２０の数を表し、
ｗは、０〜１００の数、好ましくは０〜２０の数、特に好ましくは０〜１０の数を表し、そして
ここで、式（Ｉ’）の基からのＣＨ２ＣＨ２Ｏ、Ｃ３Ｈ６Ｏ及びＤＯ基は、ブロック状もしくはランダム状に分布して配置されていることができ、
Ｑは、それぞれ互いに独立して、次式（ＩＩ’）の基であり、
−Ｏ−（ＣＨ２ＣＨ２Ｏ）-ａ（Ｃ３Ｈ６Ｏ）ｂ（ＤＯ）ｃ−    （ＩＩ’）
ここで、
Ｄは、式（Ｉ’）の場合に述べた意味を有し、
ａは、０〜８００の数、好ましくは０〜２５０の数、特に好ましくは１０〜２００の数、就中好ましくは２０〜１００の数を表し、
ｂは、０〜１００の数、好ましくは０〜５０の数を表し、
ｃは、０〜１００の数、好ましくは０〜２０の数を表し、そして
ここでａ＋ｂ＋ｃの合計は≧１、好ましくは５〜１５０であり、そして式（ＩＩ’）の化合物からのＣＨ２ＣＨ２Ｏ、Ｃ３Ｈ６Ｏ及びＤＯ基はブロック状にもしくはランダム状に分布して配置されていることができ、
ｘは、０〜１０の数、好ましくは０〜５の数、特に好ましくは０〜３の数を表し、そして
ｙは、０〜１０の数、好ましくは０〜５の数、特に好ましくは０〜３の数を表し、
但し、式（ＩＩＩ）のリン酸エステル中の式（Ｉ’）の基の数は、１またはそれ以上、好ましくは２またはそれ以上、特に好ましくは３またはそれ以上である。
【００４３】
式（ＩＩＩ）のリン酸エステル中には、構造単位−Ｑ−Ｑ−は存在しない。すなわち、式（ＩＩＩａ）、（ＩＩＩｂ）及び（ＩＩＩｃ）から選択される二つの構造単位が前後して会する場合には常に、これらの両構造単位間には一つのＱ基のみが存在する。
【００４４】
最も簡単な式（ＩＩＩ）の構造は、ｘ＝０及びｙ＝０の場合、すなわち式Ｅ２Ｖ０Ｍ０の構造である。この式Ｅ２Ｖ０Ｍ０は、式（ＩＩＩａ）の二つの構造単位からなる以下の構造式によっても表すことができる。
【００４５】
【化７】
2010535254.tif 000008
この構造式からも、式（ＩＩＩａ）の両構造単位の間にはただ一つのＱ基しか結合していないことが分かる。
【００４６】
以下に、式（ＩＩＩ）の該リン酸エステルの好ましい実施形態を記載する。
【００４７】
好ましくは、式（Ｉ’）の基中のＲ２は、炭素原子数６〜３０、好ましくは８〜２２、特に好ましくは１２〜１８の線状または分枝状の飽和アルキル基を表す。
【００４８】
更に別の式（ＩＩＩ）の好ましいリン酸エステルは、リン原子Ｐに直接結合しているエステル化可能な官能基の少なくとも８０％、好ましくは９０〜１００％、特に好ましくは９５〜１００％がエステル化されているものである。
【００４９】
式（ＩＩＩ）のリン酸エステル中の未エステル化リン原子価の中和度は０〜１００％であることができる。本発明の好ましい実施形態の一つでは、中和度は０〜２０％である。本発明の他の好ましい実施形態の一つでは、中和度は２０．１〜１００％である。
【００５０】
式（ＩＩＩ）のリン酸エステル中の好ましい対イオンＳは、Ｌｉ＋、Ｎａ＋、Ｋ＋、Ｍｇ＋＋、Ｃａ＋＋、ＡＩ＋＋＋、ＮＨ４＋及び第四アンモニウムイオン［ＨＮＲ１Ｒ２Ｒ３］＋から選択され、ここでＲ１、Ｒ２及びＲ３は、互いに独立して、水素、炭素原子数１〜２２の線状もしくは分枝状アルキル基、炭素原子数２〜２２の線状もしくは分枝状でモノ不飽和もしくはポリ不飽和のアルケニル基、炭素原子数２〜１０の線状モノ−ヒドロキシアルキル基、好ましくはモノ−ヒドロキシエチルもしくはモノ−ヒドロキシプロピル基、並びに炭素原子数３〜１０の線状もしくは分枝状ジ−ヒドロキシアルキル基であることができる。
【００５１】
式（ＩＩＩ）の更に別の好ましいリン酸エステルは、式（Ｉ’）の基中のｖ及びｗが０であるものである。
【００５２】
式（ＩＩＩ）の更に別の好ましいリン酸エステルは、式（Ｉ’）の基中のｕが１〜１５０、好ましくは５〜１００、特に好ましくは１０〜５０のものである。
【００５３】
式（ＩＩＩ）の更に別の好ましいリン酸エステルは、式（ＩＩ’）の基中のｂ及びｃが０であるものである。
【００５４】
式（ＩＩＩ）の更に別の好ましいリン酸エステルは、式（ＩＩ’）の基中のａが１〜８００、好ましくは１０〜２００、特に好ましくは２０〜１００であるものである。
【００５５】
式（ＩＩＩ）の更に別の好ましいリン酸エステルは、エチレングリコール、ジエチレングリコール、トリエチレングリコール、テトラエチレングリコール、分子量２００〜３５０００のポリエチレングリコール（ＰＥＧ）、好ましくはＰＥＧ２００、ＰＥＧ３００、ＰＥＧ４００、ＰＥＧ６００、ＰＥＧ８００、ＰＥＧ１０００、ＰＥＧ１５００、ＰＥＧ２０００、ＰＥＧ３０００、ＰＥＧ３３５０、ＰＥＧ４０００、ＰＥＧ６０００、ＰＥＧ８０００、プロピレングリコール、ジプロピレングリコール、トリプロピレングリコール、ポリプロピレングリコール、ポリブチレングリコール、分子量２００〜３５０００のエチレンオキシド及びプロピレンオキシドからなるコポリマー、１，２−ブタンジオール、１，３−ブタンジオール、１，４−ブタンジオール、１，２−ペンタンジオール、１，３−ペンタンジオール、１，４−ペンタンジオール、１，５−ペンタンジオール、１，２−ヘキサンジオール、１，３−ヘキサンジオール、１，４−ヘキサンジオール、１，５−ヘキサンジオール、１，６−ヘキサンジオール及び１，１２−ドデカンジオールから選択されるジオールから誘導されるものである。
【００５６】
式（ＩＩＩ）の更に別の好ましいリン酸エステルは、式（Ｉ’）の基中のｕが１〜２００、好ましくは２〜１５０、特に好ましくは５〜１００、特に好ましくは１０〜５０であり、式（Ｉ’）の基中のｖ及びｗが０であり、そして式（Ｉ’）の基中のＲ２−Ｏ−基が、オクタノール、デカノール、ドデカノール、テトラデカノール、ヘキサデカノール、オクタデカノール、エイコサノール、ベヘニルアルコール、８〜２２のＣ鎖画分を有する脂肪アルコール、好ましくはＣ１０／Ｃ１２−脂肪アルコール、Ｃ１２／Ｃ１４−脂肪アルコール、Ｃ１２／Ｃ１５−脂肪アルコール、Ｃ１６／Ｃ１８−脂肪アルコール、分枝状脂肪アルコール、好ましくはゲルベアルコール、モノ不飽和脂肪アルコール、好ましくはデルタ−９−ｃｉｓ−ヘキサデカノール、デルタ−９−ｃｉｓ−オクタデカノール、ｔｒａｎｓ−９−オクタデカノール、及びｃｉｓ−デルタ−１１−オクタデカノールから選択されるアルコールから誘導されるものである。
【００５７】
式（ＩＩＩ）の特に好ましい本発明のリン酸エステルは、式（Ｉ’）の基が、エチレンオキシド単位数が１０〜５０のＣ１６／１８−脂肪アルコールエトキシレートから誘導され、好ましくはエチレンオキシド単位数が１１のＣ１６／１８−脂肪アルコールエトキシレート、エチレンオキシド単位数が２５のＣ１６／１８−脂肪アルコールエトキシレート、及びエチレンオキシド単位数が５０のＣ１６／１８−脂肪アルコールエトキシレートから選択される物質から誘導されるものである。
【００５８】
式（ＩＩＩ）の更に別の特に好ましいリン酸エステルは、それに含まれる式（Ｉ’）の基の総数が、好ましくはｕが１〜２００、好ましくは２〜１５０、特に好ましくは５〜１００，就中好ましくは１０〜５０でありそしてｖ及びｗが０であるそれに含まれる式（Ｉ’）の基の総数が４〜２０、好ましくは４〜１０、特に好ましくは４〜６であるものである。
【００５９】
式（ＩＩＩ）の更に別の好ましいリン酸エステルは、式（Ｉ’）及び（ＩＩ’）の構造単位中に含まれるエチレンオキシド単位の総数が、式（Ｉ’）の基あたりで、全部で３０〜１００、好ましくは４０〜８０であるものである。
【００６０】
本発明の更に別の対象は、一種またはそれ以上の本発明のリン酸エステルを含む混合物である。本発明の好ましい実施形態の一つでは、これらの混合物は、一分子当たりリン酸原子を一つしか持たないリン酸エステル、特に次式のリン酸エステルも含むことができる。
［Ｒ２−Ｏ−（ＣＨ２ＣＨ２Ｏ）ｕ（Ｃ３Ｈ６Ｏ）ｖ（ＤＯ）ｗ−］３Ｐ＝Ｏ
式中、Ｒ２、ｕ、ｖ、ｗ及びＤは、式（Ｉ）の化合物について上に記載した意味を有する。この混合物としては、上記のリン酸エステルからなるものが好ましい。本発明の混合物中の本発明のリン酸エステルの割合は、好ましくは５０重量％超、特に好ましくは７０〜１００重量％、就中好ましくは８０〜１００重量％である。本発明の他の好ましい実施形態では、本発明の混合物は、本発明のリン酸エステルからなる。
【００６１】
本発明のリン酸エステルの合成は、リン酸またはそれの誘導体を、アルコール、好ましくは脂肪アルコールエトキシレート、及びジオールと、１５０〜２５０℃、好ましくは１８０〜２４０℃、特に好ましくは２００〜２３０℃の温度で反応させることによって行われる。
【００６２】
適当なリン酸誘導体は、ポリリン酸、十酸化四リン、リンオキシクロライド及び五塩化リンである。
【００６３】
好ましい反応体は、オルトリン酸である。
【００６４】
エステル化は、好ましくは、本質的に中性の本発明のリン酸エステルが存在するように行われる。好ましくは、＞８０％の転化率、すなわちリン酸またはリン酸誘導体の全てのエステル化可能な官能基のうちの８０％超がエステル化される。特に好ましくは＞９０％の転化率、就中好ましくは＞９５％の転化率である。
【００６５】
リン原子の残りの遊離の原子価は、酸基、あるいはＬｉ＋、Ｎａ＋、Ｋ＋、Ｍｇ＋＋、Ｃａ＋＋、Ａｌ＋＋＋、ＮＨ４＋、第四アンモニウムイオン［ＨＮＲ１Ｒ２Ｒ３］＋から選択される対イオンであることができる。前記式中、Ｒ１、Ｒ２及びＲ３は、互いに独立して、水素、炭素原子数１〜２２の線状もしくは分枝状アルキル基、炭素原子数２〜２２の線状もしくは分枝状でモノ不飽和もしくはポリ不飽和のアルケニル基、炭素原子数２〜１０の線状モノ−ヒドロキシアルキル基、好ましくはモノ−ヒドロキシエチルもしくはモノ−ヒドロキシプロピル基、並びに炭素原子数３〜１０の線状もしくは分枝状ジ−ヒドロキシアルキル基であることができる。
【００６６】
置換されていないリン原子価（Ｐ−ＯＨ）の中和度は０〜１００％であることができる。
【００６７】
特に好ましい本発明によるリン酸エステルは、
ａ）エチレンオキシド単位数が１０〜５０のＣ１２−Ｃ２２−脂肪アルコールエトキシレート、好ましくはＣ１６／１８−脂肪アルコールエトキシレート３〜１０モル、好ましくは４〜８モル、
ｂ）  平均分子量１５００〜８０００のポリエチレングリコール２モル、
ｃ）  オルトリン酸２〜５モル、好ましくは２．５〜４モル、
の反応によって得ることができる。
【００６８】
特に好ましくは、本発明のリン酸エステルは、
ａ）  エチレンオキシド単位数が１０〜５０、好ましくはエチレンオキシド単位数が２５のＣ１２−Ｃ２２−脂肪アルコールエトキシレート、好ましくはＣ１６／１８−脂肪アルコールエトキシレート５モル、
ｂ）  平均分子量が１５００〜８０００、好ましくは平均分子量が４０００のポリエチレングリコール２モル、及び
ｃ）  オルトリン酸３モル、
の反応から得ることができる。
【００６９】
極めて好ましい本発明のリン酸エステルは、
ａ）  エチレンオキシド単位数が２５のＣ１６／１８−脂肪アルコールエトキシレート５モル、
ｂ）  平均分子量が４０００のポリエチレングリコール２モル、及び
ｃ）  オルトリン酸３モル、
の反応から得ることができる。
【００７０】
本発明のリン酸エステルは、水性または水性−アルコール性の組成物にも、水性−界面活性剤系の組成物にも優れた増粘力を有し、そしてアルコールなどの有機溶剤も許容する。
【００７１】
加えて、本発明のリン酸エステルは、増粘剤、コンシステンシー付与剤、乳化剤、官能性付与添加剤（Ｓｅｎｓｏｒｉｋａｄｄｉｔｉｖ）、可溶化剤、分散剤、滑剤、付着剤及び安定化剤として有利に適している。
【００７２】
それ故、本発明の更なる対象は、増粘剤、コンシステンシー付与剤、乳化剤、官能性付与添加剤、可溶化剤、分散剤、滑剤、付着剤及び安定化剤としての本発明の一種またはそれ以上のリン酸エステルの使用に関する。
【００７３】
更に、本発明のリン酸エステルは、化粧料組成物、医薬組成物及び皮膚用組成物の製造にも有利に適している。
【００７４】
また、本発明のリン酸エステルは、一種またはそれ以上の界面活性剤を含む化粧料組成物、医薬組成物及び皮膚用組成物の増粘にも有利に適している。この際、好ましいものはシャンプーである。
【００７５】
それ故、本発明の更に別の対象は、一種またはそれ以上の界面活性剤を含む化粧料組成物、医薬組成物及び皮膚用組成物、特にシャンプーの増粘のための、一種またはそれ以上の本発明のリン酸エステルの使用である。
【００７６】
特に、アルミニウム塩、好ましくはアルミニウムクロロハイドレートまたはアルミニウム−ジルコニウム錯体塩を含む消臭または発汗抑制調合物において、それに含まれる本発明のリン酸エステルは、これらの調合物を皮膚に使用した後に、その後に着用した衣服上での白色の残渣の形成を減少させる。
【００７７】
それ故、本発明の更に別の対象は、消臭または発汗抑制調合物を皮膚に使用した後での衣服上の白色の残渣の形成の減少のための、一種またはそれ以上の本発明のリン酸エステルの、消臭または発汗抑制調合物、特にアルミニウム塩、好ましくはアルミニウムクロロハイドレートまたはアルミニウム−ジルコニウム−錯体塩を含む消臭または発汗抑制調合物中での使用である。
【００７８】
本発明の更に別の対象は、本発明のリン酸エステルの一種またはそれ以上を含む、化粧料組成物、医薬組成物及び皮膚用組成物である。
【００７９】
本発明のリン酸エステルは、多様な使用可能性を有し、そして水性、水性−アルコール性、及び水性−界面活性剤系の組成物、エマルション、懸濁液、分散体、粉剤及び噴霧剤に使用するのに適している。
【００８０】
好ましい本発明の組成物は、水性、水性−アルコール性または水性−界面活性剤系組成物、エマルション、懸濁液、分散体、粉剤または噴霧剤の形で存在する。
【００８１】
本発明のリン酸エステルは、水性または水性−アルコール性ベースの剤のための増粘剤、例えばヘアーゲル、保湿用ゲル、発汗抑制用ゲル、脱色用ゲル、コンディショナー及び殺菌用ゲルの増粘剤として使用することができる。更に、本発明のリン酸エステルは、水−界面活性剤系調合物、例えばシャンプー、シャワーバス、シャワーゲル及びフォームバス用の安定化剤、分散剤及びコンシステンシー付与剤として、並びに皮膚への優しさ（Ｈａｕｔｍｉｌｄｅ）及び皮膚との馴染みの良さ（Ｈａｕｔｋｏｍｐａｔｉｂｉｌｉｔａｅｔ）の向上のためにも適している。
【００８２】
水性−界面活性剤系組成物中での本発明のリン酸エステルの増粘作用は、疎水性末端基と界面活性剤ミセルとの会合によって生じ、そして本発明のリン酸エステルのエトキシレート末端基の選択及び界面活性剤の選択によって制御できる。
【００８３】
水性−界面活性系組成物中での本発明のリン酸エステルの懸濁もしくは分散及び安定化作用は、疎水性末端基と、水性−界面活性剤系の剤中に不溶性の液状成分、例えば油及びシリコーン油、または不溶性の固体成分、例えば顔料、及び有効物質、例えば亜鉛ピレチオン類との会合によって生ずる。
【００８４】
また同様に、本発明のリン酸エステルは、エマルション及び懸濁液、例えばコンディショナーのための増粘剤及び分散剤として、乳化剤、増粘作用を有する懸濁剤及びコンシステンシー付与剤として、並びに装飾用（ｄｅｋｏｒａｔｉｖ）固形物含有調合物の滑剤、付着剤、増粘剤、分散剤及び乳化剤としても適している。この際、複数種の本発明のリン酸エステルの混合物も使用できる。エマルション中での本発明のリン酸エステルの乳化、安定化及び／またはコンシステンシー付与作用は、疎水性末端基の相互の会合によって、並びに疎水性末端基と疎水性油成分との相互作用によって生ずるかまたは増強される。
【００８５】
本発明の好ましい実施形態の一つでは、本発明の化粧料組成物、医薬組成物または皮膚用組成物はエマルションとして存在する。
【００８６】
エマルションは、油中水型エマルションばかりではなく、水中油型エマルション、マイクロエマルション及び多重エマルションであることができる。
【００８７】
エマルションの製造は、既知の方法で、すなわち例えば熱間乳化、熱／冷間乳化またはＰＩＴ乳化法によって行うことができる。
【００８８】
大部分が乳化剤、増粘剤及び油体（Ｏｅｌｋｏｅｒｐｅｒ）から組成されるエマルションの非水性部分の割合は、通常５〜９５重量％、好ましくは１５〜７５重量％である。結果として、エマルションは、比較的低い粘度を有するローションか、または粘度の高いクリームまたは軟膏を製造するかに依存して、５〜９５重量％、好ましくは２５〜８５重量％の水を含むことができるということになる。
【００８９】
本発明の更に別の好ましい実施形態の一つでは、本発明のリン酸エステルは、洗い流すタイプ（リンスオフ型）の製品、好ましくはシャンプー、シャワーバス、シャワーゲル及びフォームバス中に使用される。
【００９０】
本発明の更に別の好ましい実施形態では、本発明のリン酸エステルは、着けておくままにするタイプ（リーブオン型）の製品、好ましくはスキンケア剤、例えばディクリーム、ナイトクリーム、保湿用ローション及びゲル、水性ゲル、例えばフェイシャルトナー、ケアクリーム、滋養クリーム、ボディローション、軟膏、サンスクリーン剤、リップケア剤、発汗抑制剤及び消臭剤に使用される。
【００９１】
更に、これらは、界面活性剤を含まない水性組成物及びエマルションに、並びにヘアキュア、ヘアリンス及びヘアーゲルに、更にはパーマネントウェーブ剤、染毛料に、並びに装飾化粧料、例えばメークアップ品、アイシャドー、リップスティック、マスカラ及びこれらの類似物などにも適している。
【００９２】
特に有利な点は、増粘力が、強酸性媒体中でも及び電解質含有組成物中でも顕著であることである。
【００９３】
それ故、本発明のリン酸エステルは、酸性化粧料組成物の増粘及び安定化に特に適している。例えばこれらは、ヒドロキシ酸、例えば乳酸、グリコール酸、サリチル酸、クエン酸もしくはポリグリコール二酸を遊離のまたは部分的に中和された形で含む化粧料組成物であることができる。更に、ビタミンＣまたはビタミンＣ誘導体、ジヒドロキシアセトンまたは美白有効成分、例えばアルブチンもしくはグリチルレチン酸及びこれの塩を含む調合物を安定化できる。
【００９４】
本発明の更に別の好ましい実施形態の一つでは、本発明の組成物は、２〜１０、好ましくは２〜６、特に好ましくは２．５〜５、特に好ましくは３〜４．５のｐＨ値を有する。
【００９５】
特に好ましいものは、本発明のリン酸エステルの他に、全組成物を基準にして、０．０５〜３．０重量％、好ましくは０．０５〜２．０重量％、特に好ましくは０．１〜１．０重量％の一種またはそれ以上の抗菌作用を有する有機酸、好ましくは抗菌作用を有するカルボン酸を含む、２．５〜５のｐＨ値を有する本発明の組成物である。抗菌作用を有する特に好ましい有機酸は、安息香酸、ソルビン酸、サリチル酸、乳酸及びアニス酸である。これらの酸は、組成物のｐＨ値を後で２．５〜５のｐＨ値に調節する場合には、本発明の組成物中に、好ましくは化粧料調合物中に、それらのナトリウムまたはカリウム塩の形で使用することができる。この場合は、遊離の抗菌有効性の酸が遊離される。これらの組成物が特に好ましい。というのも、本発明のリン酸エステルは、従来技術のカルボン酸エステルとは異なり、上記のｐＨ範囲において長期安定性の増粘を可能にし、これが抗菌有効性の酸の防腐剤としての使用を始めて可能にするからである。それにより、皮膚反応が比較的起こりやすい他の防腐剤、例えばハロゲン化系防腐剤を避けることができる。
【００９６】
抗菌作用を有する個々の有機酸、好ましくは抗菌作用を有するカルボン酸は、全組成物を基準にして、今しがた記載した本発明の組成物中に好ましくは０．０５〜２．０重量％、特に好ましくは０．１〜１．０重量％の量で使用される。
【００９７】
本発明の組成物は、好ましくは水を特に好ましくは５〜９５重量％の量で含む。特に好ましい実施形態の一つでは、該組成物は２５〜８５重量％の水を含む。更に別の特に好ましい実施形態の一つでは、該組成物は、５０〜９５重量％、更に好ましくは７５〜９５重量％の水を含む。
【００９８】
更に、本発明のリン酸エステルは、電解質含有組成物の増粘剤として優れて適している。
【００９９】
電解質としては、無機塩、好ましくはアンモニウム−または金属塩、特に好ましくはハロゲン化物のアンモニウムまたは金属塩、例えばＣａＣｌ２、ＭｇＣｌ２、ＬｉＣｌ、ＫＣｌ、ＮａＣｌ、炭酸塩、炭酸水素塩、リン酸塩、硫酸塩、硝酸塩、特に好ましくは塩化ナトリウム、及び／または有機塩、好ましくはアンモニウムまたは金属塩、特に好ましくはグリコール酸、乳酸、クエン酸、酒石酸、マンデル酸、サリチル酸、アスコルビン酸、ピルビン酸、フマル酸、レチノイン酸、スルホン酸、安息香酸、コウジ酸、フルーツ酸、リンゴ酸、グルコン酸またはガラクツロン酸のアンモニウムまたは金属塩が使用される。
【０１００】
電解質として、本発明の組成物は様々な塩の混合物を含むことができる。
【０１０１】
本発明の更に別の好ましい実施形態の一つでは、本発明の組成物は一種またはそれ以上の電解質を含む。
【０１０２】
これには、アルミニウム塩、好ましくはアルミニウムクロロハイドレートまたはアルミニウム−ジルコニウム−錯体塩を含む水性発汗抑制調合物も挙げられる。
【０１０３】
本発明の組成物中の一種またはそれ以上の電解質の含有率は、本発明の全組成物を基準にして、好ましくは０．１〜２０．０重量％、特に好ましくは０．２〜１０．０重量％、就中好ましくは０．５〜５．０重量％である。
【０１０４】
非常に有利な点は、本発明のリン酸エステルが、酸化剤、好ましくは過酸化水素を含む組成物、例えば染毛剤を増粘も、安定化もすることである。
【０１０５】
本発明の更に別の好ましい実施形態の一つでは、本発明の組成物は、過酸化水素かまたは過酸化水素を放出する物質を含む。これらの組成物は、好ましくはゲルの形で存在する。
【０１０６】
過酸化水素を放出する物質としては、好ましくは無機過酸、好ましくはペルオキソ硫酸、ペルオキソ二硫酸、ペルオキソカーボネート、並びに有機過酸、好ましくは過酢酸などが挙げられる。
【０１０７】
本発明の更に別の好ましい実施形態の一つでは、本発明の組成物は、酸性の過酸化水素脱色ゲルまたはクリームである。
【０１０８】
本発明の組成物は、完成した化粧料組成物、医薬組成物または皮膚用組成物を基準にして、好ましくは０．０１〜１０．０重量％、特に好ましくは０．１〜６．０重量％、就中好ましくは０．５〜３．０重量％の割合で本発明のリン酸エステルを含む。
【０１０９】
本発明の組成物は、アニオン性、カチオン性、ノニオン性、両性界面活性剤及び／またはベタイン界面活性剤を含むことができる。本発明の剤（例えばリンスオフ型の製品の場合）に使用される界面活性剤の総量は、完成した本発明の組成物を基準にして、好ましくは１〜７０重量％、特に好ましくは５〜４０重量％、就中好ましくは１０〜３５重量％である。
【０１１０】
アニオン性界面活性剤としては、（Ｃ１０−Ｃ２２）−アルキル−及びアルキレン−カルボキシレート、アルキルエーテルカルボキシレート、脂肪アルコールスルフェート、脂肪アルコールエーテルスルフェート、アルキルアミドスルフェート及び−スルホネート、脂肪酸アルキルアミドポリグリコールエーテルスルフェート、アルカンスルホネート及びヒドロキシアルカンスルホネート、オレフィンスルホネート、イセチオネートのアシルエステル、α−スルホ脂肪酸エステル、アルキルベンゼンスルホネート、アルキルフェノールグリコールエーテルスルホネート、スルホスクシネート、スルホコハク酸半エステル及び−ジエステル、脂肪アルコールホスフェート、脂肪アルコールエーテルホスフェート、タンパク質−脂肪酸−縮合生成物、アルキルモノグリセリドスルフェート及び−スルホネート、アルキルグリセリドエーテルスルホネート、脂肪酸−メチルタウリド、脂肪酸サルコシネート、スルホリシノレート、アシルグルタメート及びアシルグリシネートが好ましい。これらの化合物及びこれらの混合物は、それらの水溶性のまたは水中に分散可能な塩の形で使用され、例えばナトリウム塩、カリウム塩、マグネシウム塩、アンモニウム塩、モノ−、ジ−及びトリエタノールアンモニウム塩並びに類似のアルキルアンモニウム塩の形で使用される。
【０１１１】
本発明の組成物中のアニオン性界面活性剤の量は、完成した組成物を基準にして好ましくは２〜３０重量％、特に好ましくは５〜２５重量％、就中好ましくは１２〜２２重量％である。
【０１１２】
好ましいカチオン性界面活性剤は、第四アンモニウム塩、例えばジ−（Ｃ８−Ｃ２２）−アルキル−ジメチルアンモニウムクロライドもしくは−ブロマイド、好ましくはジ−（Ｃ８−Ｃ２２）−アルキル−ジメチルアンモニウムクロライドもしくは−ブロマイド；  （Ｃ８−Ｃ２２）−アルキル−ジメチル−エチルアンモニウムクロライドもしくは−ブロマイド；  （Ｃ８−Ｃ２２）−アルキル−トリメチルアンモニウムクロライドもしくは−ブロマイド、好ましくはセチルトリメチルアンモニウムクロライドもしくは−ブロマイド及び（Ｃ８−Ｃ２２）−アルキル−トリメチルアンモニウムクロライドもしくは−ブロマイド；  （Ｃ１０−Ｃ２４）−アルキル−ジメチルベンジル−アンモニウムクロライドもしくは−ブロマイド、好ましくは（Ｃ１２−Ｃ１８）−アルキル−ジメチルベンジル−アンモニウムクロライド、（Ｃ８−Ｃ２２）−アルキル−ジメチル−ヒドロキシエチルアンモニウムクロライド、−ホスフェート、−スルフェート、−ラクテート、（Ｃ８−Ｃ２２）−アルキルアミドプロピルトリメチルアンモニウムクロライド、−メトスルフェート、Ｎ，Ｎ−ビス（２−Ｃ８−Ｃ２２−アルカノイル−オキシエチル）−ジメチルアンモニウムクロライド、−メトスルフェート、Ｎ，Ｎ−ビス（２−Ｃ８−Ｃ２２−アルカノイル−オキシエチル）ヒドロキシエチル−メチル−アンモニウムクロライド、−メトスルフェートである。
【０１１３】
本発明の組成物中のカチオン性界面活性剤の量は、完成した組成物を基準にして好ましくは０．１〜１０重量％、特に好ましくは０．５〜７重量％、就中好ましくは１〜５重量％である。
【０１１４】
ノニオン性界面活性剤としては、脂肪アルコールエトキシレート（アルキルポリエチレングリコール）；  アルキルフェノールポリエチレングリコール；  脂肪アミンエトキシレート（アルキルアミノポリエチレングリコール）；  脂肪酸エトキシレート（アシルポリエチレングリコール）；  ポリプロピレングリコールエトキシレート（Ｐｌｕｒｏｎｉｃｓ（登録商標））；  脂肪酸アルカノールアミド、（脂肪酸アミドポリエチレングリコール）；  サッカロースエステル；  ソルビトールエステル及びソルビタンエステル及びこれらのポリグリコールエーテル、並びにＣ８−Ｃ２２−アルキルポリグルコシドが好ましい。
【０１１５】
本発明の組成物（例えばリンスオフ型の製品）中のノニオン性界面活性剤の量は、完成した組成物を基準にして好ましくは１〜２０重量％の範囲、特に好ましくは２〜１０重量％の範囲、就中好ましくは３〜７重量％の範囲である。
【０１１６】
更に、本発明の組成物は両性界面活性剤を含むことができる。これらは、炭素原子数８〜１８のアルキル基を有し、かつ更に別の基が、水溶性を与えるアニオン性基、例えばカルボキシル基、スルフェート基またはスルホネート基で置換されている、長鎖第二または第三アミンの誘導体と表すことができる。好ましい両性界面活性剤は、アルカリ塩及びモノ−、ジ−及びトリアルキルアンモニウム塩としてのＮ−（Ｃ１２−Ｃ１８）−アルキル−β−アミノプロピオネート及びＮ−（Ｃ１２−Ｃ１８）−アルキル−β−イミノジプロピオネートである。適当な更に別の界面活性剤としてはアミンオキシドもある。これらは、炭素原子数８〜１８の長鎖基と、炭素原子数１〜４の二つの大概の場合に短鎖のアルキル基を有する第三アミンの酸化物である。ここで好ましいものは、例えばＣ１０−〜Ｃ１８−アルキルジメチルアミンオキシド、脂肪酸アミドアルキル−ジメチルアミンオキシドである。
【０１１７】
界面活性剤の更に別の好ましい部類は、両性イオン性界面活性剤とも称されるベタイン界面活性剤である。これらは、同じ分子内に、カチオン性基、特にアンモニウム基と、アニオン性基（これはカルボキシレート基、スルフェート基またはスルホネート基であることができる）を含む。適当なベタインは、好ましくはアルキルベタイン、例えばココ−ベタインまたは脂肪酸アルキルアミドプロピルベタイン、例えばココスアシルアミドプロピルジメチルベタインまたはＣ１２−〜Ｃ１８−ジメチルアミノヘキサノエートまたはＣ１０−〜Ｃ１８−アシルアミドプロパンジメチルベタインである。
【０１１８】
本発明の組成物中での両性界面活性剤及び／またはベタイン界面活性剤の量は、完成した組成物を基準にして好ましくは０．５〜２０重量％、特に好ましくは１〜１０重量％である。
【０１１９】
好ましい界面活性剤は、ラウリルスルフェート、ラウレススルフェート、ココアミドプロピルベタイン、アルキルベタイン、例えばココ−ベタイン、ナトリウムココイルグルタメート及びラウロアンフォアセテートである。
【０１２０】
本発明の更に別の好ましい実施形態の一つでは、本発明の組成物は、追加的に、更に泡増強剤として、アルキルベタイン、アルキルアミドベタイン、アミノプロピオネート、アミノグリシネート、イミダゾリニウムベタイン及びスルホベタイン、アミンオキシド、脂肪酸アルカノールアミド及びポリヒドロキシアミドの群から選択される共界面活性剤も含む。
【０１２１】
本発明の好ましい実施形態の一つでは、化粧料組成物、医薬組成物及び皮膚用組成物は、一種またはそれ以上の本発明のリン酸エステルの他に、一種またはそれ以上の界面活性剤を含む。
【０１２２】
本発明の組成物は、更に別の助剤及び添加剤として、油体、シリコーン油、ワックス、乳化剤、共乳化剤、可溶化剤、安定化剤、カチオン性ポリマー、成膜剤、増粘剤、ゲル化剤、過脂肪剤、再脂肪剤、抗菌有効物質、生体活性物質、収斂剤、消臭剤、サンスクリーンフィルター、酸化防止剤、保湿剤、溶剤、染料、フレグランス、真珠光沢剤、混濁剤、及び／または水溶性シリコーンを含むことができる。
【０１２３】
油体は、有利には、トリグリセリド、天然及び合成脂肪成分（Ｆｅｔｔｋｏｅｒｐｅｒ）、好ましくは脂肪酸と低炭素数のアルコールとのエステル、例えば脂肪酸とイソプロパノール、プロピレングリコールまたはグリセリンとのエステル、または脂肪アルコールと低炭素数のアルカン酸または脂肪酸とのエステルの群から、またはアルキルベンゾエート、並びに天然もしくは合成炭化水素油の群から選択される。
【０１２４】
線状もしくは分枝状の飽和もしくは不飽和の場合によりヒドロキシル化されたＣ８−Ｃ３０−脂肪酸のトリグリセリド、特に植物油、例えばヒマワリ油、トウモロコシ油、ダイズ油、米油、ホホバ油、バブス油（Ｂａｂｕｓｓｃｕｏｅｌ）、カボチャ油、ブドウ種油、ゴマ油、クルミ油、杏油、オレンジ油、小麦麦芽油、ピーチカーネル油、マカダミア油、アボカド油、スイートアーモンド油、タネツケバナ油（Ｗｉｅｓｅｎｓｃｈａｕｍｋｒａｕｔｏｅｌ）、ヒマシ油、オリーブ油、ピーナッツ油、ナタネ油及びココナッツ油、並びに合成トリグリセリド油、例えば商業製品であるＭｙｒｉｔｏｌ（登録商標）３１８などが挙げられる。硬化されたトリグリセリドも本発明に好ましい。動物由来の油、例えば牛脂、パーヒドロスクワラン、ラノリンなども使用することができる。
【０１２５】
本発明の好ましい油体の更に別の部類は、線状または分枝状のＣ８−２２−アルカノールの安息香酸エステル、例えば商業製品のＦｉｎｓｏｌｖ（登録商標）ＳＢ（イソステアリルベンゾエート）、Ｆｉｎｓｏｌｖ（登録商標）ＴＮ（Ｃ１２−Ｃ１５−アルキルベンゾエート）及びＦｉｎｓｏｌｖ（登録商標）ＥＢ（エチルヘキシルベンゾエート）である。本発明において好ましい油体の更に別の部類は、合計で１２〜３６個の炭素原子、特に１２〜２４個の炭素原子を有するジアルキルエーテル、例えばジ−ｎ−オクチルエーテル（Ｃｅｔｉｏｌ（登録商標）ＯＥ）、ジ−ｎ−ノニルエーテル、ジ−ｎ−デシルエーテル、ジ−ｎ−ウンデシルエーテル、ジ−ｎ−ドデシルエーテル、ｎ−ヘキシル−ｎ−オクチルエーテル、ｎ−オクチル−ｎ−デシルエーテル、ｎ−デシル−ｎ−ウンデシルエーテル、ｎ−ウンデシル−ｎ−ドデシルエーテル及びｎ−ヘキシル−ｎ−ウンデシルエーテル、ジ−３−エチルデシルエーテル、ｔｅｒｔ．−ブチル−ｎ−オクチルエーテル、ｉｓｏ−ペンチル−ｎ−オクチルエーテル及び２−メチル−ペンチル−ｎ−オクチルエーテル並びにジ−ｔｅｒｔ．−ブチルエーテル及びジ−ｉｓｏ−ペンチルエーテルである。
【０１２６】
同様に、炭素原子数が６〜３０の分枝状の飽和もしくは不飽和の脂肪アルコール、例えばイソステアリルアルコール、並びにゲルベアルコールも挙げられる。
【０１２７】
本発明の好ましい油体の更に別の部類は、ヒドロキシカルボン酸アルキルエステルである。好ましいヒドロキシカルボン酸アルキルエステルは、グリコール酸、乳酸、リンゴ酸、酒石酸またはクエン酸の完全なエステル（Ｖｏｌｌｅｓｔｅｒ）である。更に別の原則的に好適なヒドロキシカルボン酸のエステルは、β−ヒドロキシプロピオン酸、タルトロン酸、Ｄ−グルコン酸、糖酸、粘液酸またはグルクロン酸のエステルである。これらのエステルのアルコール成分としては、炭素原子数８〜２２の線状もしくは分枝状の第一脂肪族アルコールが適している。この際、Ｃ１２−Ｃ１５−脂肪アルコールのエステルが特に好ましい。この種のエステルは商業的に入手でき、例えばＥｎｉＣｈｅｍ，Ａｕｇｕｓｔａ  ＩｎｄｕｓｔｒｉａｌｅのＣｏｓｍａｃｏｌ（登録商標）の商品名で入手できる。
【０１２８】
本発明において好ましい油体の更に別の部類は、線状もしくは分枝状Ｃ２−Ｃ１０−アルカノールのジカルボン酸エステル、例えばジ−ｎ−ブチルアジペート（Ｃｅｔｉｏｌ（登録商標）Ｂ）、ジ−（２−エチルヘキシル）−アジペート及びジ−（２−エチルヘキシル）−スクシネート、並びにジオールエステル、例えばエチレングリコール−ジオレエート、エチレングリコール−ジ−イソトリデカノエート、プロピレングリコール−ジ−（２−エチルヘキサノエート）、プロピレングリコール−ジ−イソステアレート、プロピレングリコール−ジ−ペラルゴネート、ブタンジオール−ジ−イソステアレート及びネオペンチルグリコールジカプリレート並びにジ−イソトリデシルアセラートである。
【０１２９】
同様に好ましい油体は、炭酸と脂肪アルコールとの対称的、非対称的または環状のエステル、グリセリンカーボネートまたはジカプリリルカーボネート（Ｃｅｔｉｏｌ（登録商標）ＣＣ）である。
【０１３０】
本発明の好ましい油体の更に別の部類は、不飽和Ｃ１２−Ｃ２２−脂肪酸のダイマー（ダイマー脂肪酸）と単価の線状、分枝状または環状Ｃ２−Ｃ１８−アルカノールとの、または多価の線状もしくは分枝状Ｃ２−Ｃ６−アルカノールとのエステルである。
【０１３１】
本発明の好ましい油体の更に別の部類は、炭化水素油、例えば線状もしくは分枝状で飽和もしくは不飽和のＣ７−Ｃ４０−炭化水素鎖を有する炭化水素油、例えばワセリン、ドデカン、イソドデカン、コレステロール、ラノリン、合成炭化水素、例えばポリオレフィン、特にポリイソブテン、水素化されたポリイソブテン、ポリデカン、並びにヘキサデカン、イソヘキサデカン、パラフィン油、イソパラフィン油、例えばＰｅｒｍｅｔｈｙｌ（登録商標）シリーズの商業製品、スクワラン、スクワレン、及び脂肪環式炭化水素、例えば商業製品である１，３−ジ−（２−エチル−ヘキシル）−シクロヘキサン（Ｃｅｔｉｏｌ（登録商標）Ｓ）、オゾケライト、及びセレシンである。
【０１３２】
シリコーン油または−ワックスとしては、好ましくは、ジメチルポリシロキサン及びシクロメチコーン、ポリジアルキルシロキサンＲ３ＳｉＯ（Ｒ２ＳｉＯ）ｘＳｉＲ３（式中、Ｒは、メチルまたはエチルを表し、特に好ましくはメチルを表し、そしてｘは、２〜５００の数を表す）、例えばＶＩＣＡＳＩＬ（Ｇｅｎｅｒａｌ  Ｅｌｅｃｔｒｉｃ  Ｃｏｍｐａｎｙ）、ＤＯＷ  ＣＯＲＮＩＮＧ２００、ＤＯＷ ＣＯＲＮＩＮＧ２２５、ＤＯＷ  ＣＯＲＮＩＮＧ２００（Ｄｏｗ  Ｃｏｒｎｉｎｇ  Ｃｏｒｐｏｒａｔｉｏｎ）の商品名で入手できるジメチコーン、並びにＳｉｌＣａｒｅ（登録商標）Ｓｉｌｉｃｏｎｅ  ４１Ｍ６５、ＳｉｌＣａｒｅ（登録商標）Ｓｉｌｉｃｏｎｅ  ４１Ｍ７０、ＳｉｌＣａｒｅ（登録商標）Ｓｉｌｉｃｏｎｅ４１Ｍ８０（Ｃｌａｒｉａｎｔ）の名称で入手できるジメチコーン、ステアリルジメチルポリシロキサン、Ｃ２０−Ｃ２４−アルキル−ジメチルポリシロキサン、Ｃ２４−Ｃ２８−アルキル−ジメチルポリシロキサン、並びにＳｉｌＣａｒｅ（登録商標）Ｓｉｌｉｃｏｎｅ４１Ｍ４０、ＳｉｌＣａｒｅ（登録商標）Ｓｉｌｉｃｏｎｅ４１Ｍ５０（Ｃｌａｒｉａｎｔ）の名称で入手できるメチコーン、更にトリメチルシロキシシリケート［（ＣＨ２）３ＳｉＯ）１／２］ｘ［ＳｉＯ２］ｙ（式中、ｘは１〜５００の数を表し、そしてｙは１〜５００の数を表す）、ジメチコノールＲ３ＳｉＯ［Ｒ２ＳｉＯ］ｘＳｉＲ２ＯＨ及びＨＯＲ２ＳｉＯ［Ｒ２ＳｉＯ］ｘＳｉＲ２ＯＨ（式中、Ｒはメチルまたはエチルを表し、そしてｘは５００までの数を表す）、ポリアルキルアリールシロキサン、例えばＳＦ１０７５ＭＥＴＨＹＬＰＨＥＮＹＬ  ＦＬＵＩＤ（Ｇｅｎｅｒａｌ  Ｅｌｅｃｔｒｉｃ  Ｃｏｍｐａｎｙ）及び５５６ＣＯＳＭＥＴＩＣ  ＧＲＡＤＥ  ＰＨＥＮＹＬ  ＴＲＩＭＥＴＨＩＣＯＮＥ  ＦＬＵＩＤ（ＤｏｗＣｏｒｎｉｎｇ  Ｃｏｒｐｏｒａｔｉｏｎ）の商品名で入手できるポリメチルフェニルシロキサン、ポリジアリールシロキサン、シリコーン樹脂、環状シリコーン及びアミノ−、脂肪酸−、アルコール−、ポリエーテル−、エポキシ−、フルオロ−及び／またはアルキル変性シリコーン化合物、並びにポリエーテルシロキサン−コポリマーが使用される。
【０１３３】
本発明の組成物は、ワックス、例えばパラフィンワックス、マイクロワックス及びオゾケライト、蜜蝋及びそれの部分画分、並びに蜜蝋誘導体、及びホモポリマー性ポリエチレンまたはα−オレフィンのコポリマーの群からのワックス、並びに天然ワックス、例えば米蝋、キャンデリラワックス、カルナウバワックス、木蝋またはシェラックワックスを含むことができる。
【０１３４】
乳化剤、共乳化剤及び可溶化剤としては、ノニオン性、アニオン性、カチオン性または両性表面活性化合物を使用することができる。
【０１３５】
非イオノゲン性表面活性物質としては、好ましくは、次のもの、すなわち炭素原子数８〜２２の線状脂肪アルコール、炭素原子数１２〜２２の脂肪酸、アルキル基中の炭素原子数８〜１５のアルキルフェノール、及びソルビタン−もしくはソルビトールエステルに０〜３０モルのエチレンオキシド及び／または０〜５モルのプロピレンオキシドを付加した付加生成物；  グリセリンに０〜３０モルのエチレンオキシドを付加した付加生成物の（Ｃ１２−Ｃ１８）−脂肪酸モノ−及び−ジエステル；  炭素原子数６〜２２の飽和若しくは不飽和脂肪酸の、場合により及びそれのエチレンオキシド付加生成物のグリセリンモノ−及び−ジエステル並びにソルビタンモノ−及び−ジエステル；  ヒマシ油及び／または硬化したヒマシ油に１５〜６０モルのエチレンオキシドを付加した付加生成物；  ポリオール−及び特にポリグリセリンエステル、例えばポリグリセリンポリリシノレート及びポリグリセリンポリ−１２−ヒドロキシステアレートが挙げられる。同様に、エトキシル化脂肪アミン、脂肪酸アミド、脂肪酸アルカノールアミド、及びこれらの部類の物質の複数種からなる化合物の混合物も好適である。
【０１３６】
イオノゲン性共乳化剤としては、例えばアニオン性乳化剤、例えばモノ−、ジ−もしくはトリ−リン酸エステル、石鹸（例えばステアリン酸ナトリウム）、脂肪アルコールスルフェート、並びにカチオン性乳化剤、例えばモノ−、ジ−及びトリ−アルキルクワット及びこれらのポリマー性誘導体が適している。
【０１３７】
両性乳化剤としては、好ましくは、アルキルアミノアルキルカルボン酸、ベタイン、スルホベタイン及びイミダゾリン誘導体が使用される。
【０１３８】
特に好ましくは、エトキシル化されたステアリルアルコール、イソステアリルアルコール、セチルアルコール、イソセチルアルコール、オレイルアルコール、ラウリルアルコール、イソラウリルアルコール、セチルステアリルアルコールの群から選択される脂肪アルコールエトキシレート、特にポリエチレングリコール（１３）ステアリルエーテル、ポリエチレングリコール（１４）ステアリルエーテル、ポリエチレングリコール（１５）ステアリルエーテル、ポリエチレングリコール（１６）ステアリルエーテル、ポリエチレングリコール（１７）ステアリルエーテル、ポリエチレングリコール（１８）ステアリルエーテル、ポリエチレングリコール（１９）ステアリルエーテル、ポリエチレングリコール（２０）ステアリルエーテル、ポリエチレングリコール（１２）イソステアリルエーテル、ポリエチレングリコール（１３）イソステアリルエーテル、ポリエチレングリコール（１４）イソステアリルエーテル、ポリエチレングリコール（１５）イソステアリルエーテル、ポリエチレングリコール（１６）イソステアリルエーテル、ポリエチレングリコール（１７）イソステアリルエーテル、ポリエチレングリコール（１８）イソステアリルエーテル、ポリエチレングリコール（１９）イソステアリルエーテル、ポリエチレングリコール（２０）イソステアリルエーテル、ポリエチレングリコール（１３）セチルエーテル、ポリエチレングリコール（１４）セチルエーテル、ポリエチレングリコール（１５）セチルエーテル、ポリエチレングリコール（１６）セチルエーテル、ポリエチレングリコール（１７）セチルエーテル、ポリエチレングリコール（１８）セチルエーテル、ポリエチレングリコール（１９）セチルエーテル、ポリエチレングリコール（２０）セチルエーテル、ポリエチレングリコール（１３）イソセチルエーテル、ポリエチレングリコール（１４）イソセチルエーテル、ポリエチレングリコール（１５）イソセチルエーテル、ポリエチレングリコール（１６）イソセチルエーテル、ポリエチレングリコール（１７）イソセチルエーテル、ポリエチレングリコール（１８）イソセチルエーテル、ポリエチレングリコール（１９）イソセチルエーテル、ポリエチレングリコール（２０）イソセチルエーテル、ポリエチレングリコール（１２）オレイルエーテル、ポリエチレングリコール（１３）オレイルエーテル、ポリエチレングリコール（１４）オレイルエーテル、ポリエチレングリコール（１５）オレイルエーテル、ポリエチレングリコール（１２）ラウリルエーテル、ポリエチレングリコール（１２）イソラウリルエーテル、ポリエチレングリコール（１３）セチルステアリルエーテル、ポリエチレングリコール（１４）セチルステアリルエーテル、ポリエチレングリコール（１５）セチルステアリルエーテル、ポリエチレングリコール（１６）セチルステアリルエーテル、ポリエチレングリコール（１７）セチルステアリルエーテル、ポリエチレングリコール（１８）セチルステアリルエーテル、ポリエチレングリコール（１９）セチルステアリルエーテルが使用される。
【０１３９】
同様に好ましいものは、エトキシル化されたステアレート、イソステアレート及びオレエート、特にポリエチレングリコール（２０）ステアレート、ポリエチレングリコール（２１）ステアレート、ポリエチレングリコール（２２）ステアレート、ポリエチレングリコール（２３）ステアレート、ポリエチレングリコール（２４）ステアレート、ポリエチレングリコール（２５）ステアレート、ポリエチレングリコール（１２）イソステアレート、ポリエチレングリコール（１３）イソステアレート、ポリエチレングリコール（１４）イソステアレート、ポリエチレングリコール（１５）イソステアレート、ポリエチレングリコール（１６）イソステアレート、ポリエチレングリコール（１７）イソステアレート、ポリエチレングリコール（１８）イソステアレート、ポリエチレングリコール（１９）イソステアレート、ポリエチレングリコール（２０）イソステアレート、ポリエチレングリコール（２１）イソステアレート、ポリエチレングリコール（２２）イソステアレート、ポリエチレングリコール（２３）イソステアレート、ポリエチレングリコール（２４）イソステアレート、ポリエチレングリコール（２５）イソステアレート、ポリエチレングリコール（１２）オレエート、ポリエチレングリコール（１３）オレエート、ポリエチレングリコール（１４）オレエート、ポリエチレングリコール（１５）オレエート、ポリエチレングリコール（１６）オレエート、ポリエチレングリコール（１７）オレエート、ポリエチレングリコール（１８）オレエート、ポリエチレングリコール（１９）オレエート、ポリエチレングリコール（２０）オレエートの群から選択される脂肪酸エトキシレートである。
【０１４０】
エトキシル化されたアルキルエーテルカルボン酸またはそれの塩としては、ナトリウムラウレス−１１−カルボキシレートを有利に使用することができる。
【０１４１】
エトキシル化されたトリグリセリドとしては、ポリエチレングリコール（６０）イブニングプリモースグリセリドが有利に使用できる。
【０１４２】
更に、ポリエチレングリコールグリセリン脂肪酸エステルが、ポリエチレングリコール（２０）グリセリルラウレート、ポリエチレングリコール（６）グリセリルカプレート／カプリネート、ポリエチレングリコール（２０）グリセリルオレエート、ポリエチレングリコール（２０）グリセリルイソステアレート及びポリエチレングリコール（１８）グリセリルオレエート／ココエートの群から選択されるのが有利である。
【０１４３】
ソルビタンエステルとしては、ポリエチレングリコール（２０）ソルビタンモノラウレート、ポリエチレングリコール（２０）ソルビタンモノステアレート、ポリエチレングリコール（２０）ソルビタンモノイソステアレート、ポリエチレングリコール（２０）ソルビタンモノパルミテート、ポリエチレングリコール（２０）ソルビタンモノオレエートが特に適している。
【０１４４】
特に有利な共乳化剤は、グリセリルモノステアレート、グリセリルモノオレエート、ジグリセリルモノステアレート、グリセリルイソステアレート、ポリグリセリル−３−オレエート、ポリグリセリル−３−ジイソステアレート、ポリグリセリル−４−イソステアレート、ポリグリセリル−２−ジポリヒドロキシステアレート、ポリグリセリル−４−ジポリヒドロキシステアレート、ＰＥＧ−３０−ジポリヒドロキシステアレート、ジイソステアロイルポリグリセリル−３−ジイソステアレート、グリコールジステアレート及びポリグリセリル−３−ジポリヒドロキシステアレート、ソルビタンモノイソステアレート、ソルビタンステアレート、ソルビタンオレエート、サッカロースジステアレート、レシチン、ＰＥＧ−７−水素化ヒマシ油、セチルアルコール、ステアリルアルコール、ベヘニルアルコール、イソベヘニルアルコール及びポリエチレングリコール（２）ステアリルエーテル（ステアレス−２）、アルキルメチコーンコポリオール及びアルキル−ジメチコーンコポリオール、特にセチルジメチコーンコポリオール、ラウリルメチコーンコポリオールである。
【０１４５】
本発明の組成物は、前記乳化剤、共乳化剤または可溶化剤の一種またはそれ以上を、完成した組成物を基準にして０．１〜２０重量％、好ましくは１〜１５重量％、特に好ましくは３〜１０重量％の量で含むことができる。
【０１４６】
安定化剤としては、脂肪酸の金属塩、例えばステアリン酸のマグネシウム、アルミニウム及び／または亜鉛塩を、完成した組成物を基準にして好ましくは０．１〜１０重量％、特に０．５〜８重量％、特に好ましくは１〜５重量％の量で使用することができる。
【０１４７】
カチオン性ポリマーとしては、ＩＮＣＩ名で“ポリクオーターニウム（Ｐｏｌｙｑｕａｔｅｒｎｉｕｍ）”として知られるもの、特にポリクオーターニウム−３１、ポリクオーターニウム−１６、ポリクオーターニウム−２４、ポリクオーターニウム−７、ポリクオーターニウム−２２、ポリクオーターニウム−３９、ポリクオーターニウム−２８、ポリクオーターニウム−２、ポリクオーターニウム−１０、ポリクオーターニウム−１１、並びにポリクオーターニウム３７＆鉱油＆ＰＰＧトリデセス（Ｓａｌｃａｒｅ  ＳＣ９５）、ＰＶＰ−ジメチルアミノエチルメタクリレート−コポリマー、グアー−ヒドロキシプロピルトリアンモニウム−クロライド、並びにアルギン酸カルシウム及びアルギン酸アンモニウムが適している。更に、カチオン性セルロース誘導体；  カチオン性デンプン；  ジアリルアンモニウム塩とアクリルアミドとのコポリマー；  四級化されたビニルピロリドン／ビニルイミダゾール−ポリマー；  ポリグリコールとアミンとの縮合生成物；  四級化されたコラーゲンポリペプチド；  四級化された小麦ポリペプチド；  ポリエチレンイミン；  カチオン性シリコーンポリマー、例えばアミドメチコーン；  アジピン酸とジメチルアミノヒドロキシ−プロピルジエチレントリアミンとのコポリマー；  ポリアミノポリアミド及びカチオン性キチン誘導体、例えばキトサンを使用することができる。
【０１４８】
本発明の組成物は、上記のカチオン性ポリマーの一種もしくはそれ以上を、完成した組成物を基準にして０．１〜５重量％、好ましくは０．２〜３重量％、特に好ましくは０．５〜２重量％の量で含むことができる。
【０１４９】
更に、本発明の組成物は成膜剤を含むことができ、これは、使用目的に応じて、フェニルベンズイミダゾールスルホン酸の塩、水溶性ポリウレタン、例えばＣ１０−ポリカルバミルポリグリセリルエステル、ポリビニルアルコール、水溶性アクリル酸ポリマー／コポリマーまたはそれらのエステルもしくは塩、例えばアクリル／メタクリル酸の部分エステルコポリマー、水溶性セルロース、例えばヒドロキシメチルセルロース、ヒドロキシエチルセルロース、ヒドロキシプロピルセルロース、水溶性クオーターニウム、ポリクオーターニウム、カルボキシビニル−ポリマー、例えばカルボマーまたはそれの塩、ポリサッカライド、例えばポリデキストロース及びグルカン、ビニルアセテート／クロトネート、例えばＡｒｉｓｔｏｆｌｅｘ（登録商標）Ａ６０（Ｃｌａｒｉａｎｔ）の商品名で入手できるものから選択される。
【０１５０】
本発明の組成物は、一種またはそれ以上の成膜剤を、完成した組成物を基準にして０．１〜１０重量％、好ましくは０．２〜５重量％、特に好ましくは０．５〜３重量％の量で含むことができる。
【０１５１】
該組成物の目的の粘度は、増粘剤及びゲル化剤の添加によって調節することができる。好ましくは、セルロースエーテル及び他のセルロース誘導体（例えば、カルボキシメチルセルロース、ヒドロキシエチルセルロース）、ゼラチン、デンプン及びデンプン誘導体、アルギン酸ナトリウム、脂肪酸ポリエチレングリコールエステル、寒天、トラガンスまたはデキストリン誘導体、特にデキストリンエステルなどが挙げられる。更に、脂肪酸、好ましくは炭素原子数が１２〜２２の脂肪酸の金属塩、例えばステアリン酸ナトリウム、パルミチン酸ナトリウム、ラウリン酸ナトリウム、アラキジン酸ナトリウム、ベヘン酸ナトリウム、ステアリン酸カリウム、パルミチン酸カリウム、ミリスチン酸ナトリウム、モノステアリン酸アルミニウム、ヒドロキシ脂肪酸、例えば１２−ヒドロキシステアリン酸、１６−ヒドロキシヘキサデカノイル酸、脂肪酸アミド；  脂肪酸アルカノールアミド；  ジベンザルソルビトール及びアルコール可溶性のポリアミド及びポリアクリルアミドまたはこれらの混合物が適している。更に、架橋されているかまたは架橋されていないポリアクリレート、例えばカルボマー、ポリアクリル酸ナトリウムまたはスルホン酸含有ポリマー、例えばアンモニウムアクリロイルジメチルタウレート／ＶＰ−コポリマーを使用することができる。
【０１５２】
好ましくは、本発明の組成物は、増粘剤またはゲル化剤を０．０１〜２０重量％、特に好ましくは０．１〜１０重量％、就中好ましくは０．２〜３重量％、非常に好ましくは０．４〜２重量％の量で含む。
【０１５３】
過脂肪剤としては、好ましくは、ラノリン及びレシチン、非エトキシル化及びポリエトキシル化もしくはアシル化ラノリン−及びレシチン誘導体、ポリオール脂肪酸エステル、モノ−、ジ−及びトリグリセリド及び／または脂肪酸アルカノールアミド（この際、後者は同時に泡安定化剤としても働く）が使用され、これらは、完成した本発明の組成物を基準にして好ましくは０．０１〜１０重量％、特に好ましくは０．１〜５重量％、就中好ましくは０．５〜３重量％の量で使用される。
抗菌有効物質としては、セチルトリメチルアンモニウムクロライド、セチルピリジニウムクロライド、ベンズエトニウムクロライド、ジイソブチルエトキシエチルジメチルベンジルアンモニウムクロライド、ナトリウムＮ−ラウリルサルコシネート、ナトリウム−Ｎ−パルメチルサルコシネート、ラウロイルサルコシン、Ｎ−ミリストイルグリシン、カリウム−Ｎ−ラウリルサルコシン、トリメチルアンモニウムクロライド、ナトリウムアルミニウムクロロヒドロキシラクテート、トリエチルシトレート、トリセチルメチルアンモニウムクロライド、２，４，４’−トリクロロ−２’−ヒドロキシジフェニルエーテル（トリクロサン）、フェノキシエタノール、１，５−ペンタンジオール、１，６−ヘキサンジオール、３，４，４’−トリクロロカルバニリド（トリクロカルバン）、ジアミノアルキルアミド、例えばＬ−リシンヘキサデシルアミド、シトレート重金属塩、サリチレート、ピロクトース、特に亜鉛塩、ピリチオン及びそれの重金属塩、特に亜鉛ピリチオン、亜鉛フェノールスルフェート、ファルネソール、ケトコナゾール、オキシコナゾール、ビフォナゾール、ブトコナゾール、クロコナゾール、クロトリマゾール、エコナゾール、エニルコナゾール、フェンチコナゾール、イソコナゾール、ミコナゾール、スルコナゾール、チオコナゾールフルコナゾール、イタコナゾール、テルコナゾール、ナフチフィン及びテルビナフィン、セレンジスルフィド及びＯｃｔｏｐｉｒｏｘ（登録商標）、ヨードプロピニルブチルカルバメート、メチルクロロイソチアゾリノン、メチルイソチアゾリノン、メチルジブロモグルタロニトリル、ＡｇＣｌ、クロロキシレノール、ジエチルヘキシルスルホシクシネートのＮａ塩、安息香酸ナトリウム、並びにフェノキシエタノール、ベンジルアルコール、フェノキシイソプロパノール、パラベン類、好ましくはブチル−、エチル−、メチル−及びプロピルパラベン、並びにこれらのＮａ塩、ペンタンジオール１，２−オクタンジオール、２−ブロモ−２−ニトロプロパン−１，３−ジオール、エチルヘキシルグリセリン、ベンジルアルコール、ソルビン酸、安息香酸、乳酸、イミダゾリジニル尿素、ジアゾリジニル尿素、ジメチロールジメチルヒダントイン（ＤＭＤＭＨ）、ヒドロキシメチルグリシネートのＮａ塩、ソルビン酸のヒドロキシエチルグリシン、及びこれらの有効物質の組み合わせが使用される。
【０１５４】
本発明の組成物は、完成した組成物を基準にして、抗菌有効物質を好ましくは０．００１〜５重量％、特に好ましくは０．０１〜３重量％、就中好ましくは０．１〜２重量％の量で含む。
【０１５５】
更に、本発明の組成物は、植物エキス、例えばアロエベラ、並びに局所麻酔薬、抗生剤、消炎剤、抗アレルギー剤、コルチコステロイド、皮脂分泌調節剤（Ｓｅｂｏｓｔａｔｉｋａ）、Ｂｉｓａｂｏｌｏｌ（登録商標）、アラントイン、Ｐｈｙｔａｎｔｒｉｏｌ（登録商標）、タンパク質、及び次のもの、すなわちナイアシン、ビオチン、ビタミンＢ２、ビタミンＢ３、ビタミンＢ６、ビタミンＢ３誘導体（塩、酸、エステル、アミド、アルコール）、ビタミンＣ及びビタミンＣ誘導体（塩、酸、エステル、アミド、アルコール）、好ましくはアスコルビン酸のモノリン酸エステルのナトリウム塩またはアスコルビン酸のリン酸エステルのマグネシウム塩としてのビタミンＣ誘導体、トコフェロール及びトコフェロールアセテート、並びにビタミンＥ及び／またはこれの誘導体から選択されるビタミン類から選択される生体活性物質を含むことができる。
【０１５６】
本発明の組成物は、完成した組成物を基準にして、生体活性物質を好ましくは０．００１〜５重量％、特に好ましくは０．０１〜３重量％、就中好ましくは０．１〜２重量％の量で含むことができる。
【０１５７】
本発明の組成物は、収斂剤、好ましくは酸化マグネシウム、酸化アルミニウム、二酸化チタン、二酸化ジルコニウム、及び酸化亜鉛、オキシドハイドレート、好ましくはアルミニウムオキシドハイドレート（ベーマイト）及び水酸化物、好ましくはカルシウム、マグネシウム、アルミニウム、チタン、ジルコニウムまたは亜鉛の水酸化物、並びにアルミニウムクロロハイドレートを、好ましくは０〜５０重量％、特に好ましくは０．０１〜１０重量％、就中好ましくは０．１〜１０重量％の量で含むことができる。消臭性物質としては、好ましいものはアラントイン及びビスアボロールである。これらは好ましくは０．０００１〜１０重量％の量で使用される。
【０１５８】
本発明の組成物は、顔料／マイクロ顔料として並びにサンスクリーンフィルターとして、微細な二酸化チタン、雲母−酸化チタン、酸化鉄類、雲母−酸化鉄、酸化亜鉛、酸化ケイ素類、ウルトラマリンブルー、酸化クロム類を含むことができる。
【０１５９】
本発明の組成物は、サンスクリーンフィルターを含むことができ、これは、好ましくは、４−アミノ安息香酸、３−（４’−トリメチルアンモニウム）−ベンジリデン−ボラン−２−オン−メチルスルフェート、カンフルベンザルコニウムメトスルフェート、３，３，５−トリメチル−シクロヘキシルサリチレート、２−ヒドロキシ−４−メトキシベンゾフェノン、２−フェニルベンズイミダゾール−５−スルホン酸及びそれのカリウム−、ナトリウム−及びトリエタノールアミン塩、３，３’−（１，４−フェニレンジメチン）−ビス−（７，７−ジメチル−２−オキサビシクロ［２．２．１］−ヘプタン−１−メタンスルホン酸）及びそれの塩、１−（４−ｔｅｒｔ．−ブチルフェニル）−３−（４−メトキシフェニル）プロパン−１，３−ジオン、３−（４’−スルホ）−ベンジリデン−ボルナン−２−オン及びそれの塩、２−シアン−３，３−ジフェニル−アクリル酸−（２−エチルヘキシルエステル）、Ｎ−［２（及び４）−（２−オキソボルン−３−イリデンメチル）ベンジル］−アクリルアミドのポリマー、４−メトキシ−ケイ皮酸−２−エチル−ヘキシルエステル、エトキシル化されたエチル−４−アミノ−ベンゾエート、４−メトキシ−ケイ皮酸−イソアミルエステル、２，４，６−トリス−［ｐ−（２−エチルヘキシルオキシカルボニル）アニリノ］−１，３，５−トリアジン、２−（２Ｈ−ベンゾトリアゾール−２−イル）−４−メチル−６−（２−メチル−３−（１，３，３，３−テトラメチル−１−（トリメチルシリルオキシ）−ジシロキサニル）−プロピル）フェノール、４，４’−［（６−［４−（（１，１−ジメチルエチル）−アミノ−カルボニル）フェニルアミノ］−１，３，５−トリアジン−２，４−イル）ジイミノ］ビス−（安息香酸−２−エチルヘキシルエステル）、ベンゾフェノン−３、ベンゾフェノン−４（酸）、３−（４’−メチルベンジリデン）−Ｄ，Ｌ−カンファー、３−ベンジリデン−カンファー、サリチル酸−２−エチルヘキシルエステル、４−ジメチルアミノ安息香酸−２−エチルヘキシルエステル、ヒドロキシ−４−メトキシ−ベンゾフェノン−５−スルホン酸（スルフィソベンゾナム（Ｓｕｌｆｉｓｏｂｅｎｚｏｎｕｍ））及びそのナトリウム塩、４−イソプロピルベンジルサリチレート、Ｎ，Ｎ，Ｎ−トリメチル−４−（２−オキソボルン−３−イリデンメチル）アニリウムメチルスルフェート、ホモサレート（ＩＮＮ）、オキシベンゾン（ＩＮＮ）、２−フェニルベンズイミダゾール−５−スルホン酸及びそれのナトリウム−、カリウム−及びトリエタノールアミン塩、オクチルメトキシケイ皮酸、イソペンチル−４−メトキシケイ皮酸、イソアミル−ｐ−メトキシケイ皮酸、２，４，６−トリアニリノ−（ｐ−カルボ−２’−エチルヘキシル−１’−オキシ）−１，３，５−トリアジン（オクチルトリアゾン）フェノール、２−２（２Ｈ−ベンゾトリアゾール−２−イル）−４−メチル−６−（２−メチル−３−（１，３，３，３−テトラメチル−１−（トリメチルシリル）オキシ）−ジシロキサニル）プロピル（ドロメトリゾールトリシロキサン）安息香酸、４，４−（（６−（（（１，１−ジメチルエチル）アミノ）カルボニル）フェニル）アミノ）−１，３，５−トリアジン−２，４−ジイル）ジイミノ）ビス，ビス（２−エチルヘキシル）エステル）安息香酸、４，４−（（６−（（（１，１−ジメチルエチル）アミノ）−カルボニル）フェニル）アミノ）−１，３，５−トリアジン−２，４−ジイル）ジイミノ）ビス，ビス（２−エチルヘキシル）エステル）、３−（４’−メチルベンジリデン）−Ｄ，Ｌ−カンファー（４−メチルベンジリデンカンフル）、ベンジリデン−カンフル−スルホン酸、オクトクリレン、ポリアクリルアミドメチル−ベンジリデン−カンフル、２−エチルヘキシルサリチレート（オクチルサリチレート）、４−ジメチル−アミノ安息香酸エチル−２−ヘキシルエステル（オクチルジメチルＰＡＢＡ）、ＰＥＧ−２５ＰＡＢＡ、２−ヒドロキシ−４−メトキシベンゾ−フェノン−５−スルホン酸（ベンゾフェノン−５）及びそのナトリウム塩、２，２’−メチレン−ビス−６−（２Ｈ−ベンゾトリアゾール−２イル）−４−（テトラメチル−ブチル）−１，１，３，３−フェノール、２−２’−ビス−（１，４−フェニレン）１Ｈ−ベンズイミダゾール−４，６−ジスルホン酸のナトリウム塩、（１，３，５）−トリアジン−２，４−ビス（（４−（２−エチル−ヘキシルオキシ）−２−ヒドロキシ）−フェニル）−６−（４−メトキシフェニル）、２−エチルヘキシル−２−シアノ−３，３−ジフェニル−２−プロペノエート、グリセリルオクタノエート、ジ−ｐ−メトキシケイ皮酸、ｐ−アミノ安息香酸及びそれのエステル、４−ｔｅｒｔ−ブチル−４’−メトキシジベンゾイルメタン、４−（２−β−グルコピランオキシ）プロポキシ−２−ヒドロキシベンゾフェノン、オクチルサリチレート、メチル−２，５−ジイソプロピルケイ皮酸、シノキサート、ジヒドロキシ−ジメトキシベンゾフェノン、２，２’−ジヒドロキシ−４，４’−ジメトキシ−５，５’−ジスルホベンゾフェノンの二ナトリウム塩、ジヒドロキシベンゾフェノン、１，３，４−ジメトキシフェニル−４，４−ジメチル−１，３−ペンタンジオン、２−エチルヘキシル−ジメトキシベンジリデン−ジオキソイミダゾリジンプロピオネート、メチレン−ビス−ベンズトリアゾリルテトラメチルブチルフェノール、フェニルジベンズイミダゾールテトラスルホネート、ビス−エチルヘキシルオキシフェノール−メトキシフェノール−トリアジン、テトラヒドロキシベンゾフェノン、テレフタリリデンジカンファー−スルホン酸、２，４，６−トリス［４，２−エチルヘキシルオキシカルボニル）アニリノ］−１，３，５−トリアジン、メチル−ビス（トリメチルシロキシ）シリル−イソペンチルトリメトキシ−ケイ皮酸、アミル−ｐ−ジメチルアミノベンゾエート、アミル−ｐ−ジメチルアミノベンゾエート、２−エチルヘキシル−ｐ−ジメチルアミノベンゾエート、イソプロピル−ｐ−メトキシケイ皮酸／ジイソプロピルケイ皮酸エステル、２−エチルヘキシル−ｐ−メトキシケイ皮酸、２−ヒドロキシ−４−メトキシベンゾフェノン、２−ヒドロキシ−４−メトキシベンゾフェノン−５−スルホン酸及びその三水和物、並びに２−ヒドロキシ−４−メトキシベンゾフェノン−５−スルホネートナトリウム塩及びフェニル−ベンズイミダゾール−スルホン酸から選択される。
【０１６０】
該組成物中での上記のサンスクリーンフィルター（一種またはそれ以上の化合物）の量は、完成した組成物の総重量を基準にして好ましくは０．００１〜３０重量％、特に好ましくは０．０５〜２０重量％、特に１〜１０重量％である。
【０１６１】
本発明の組成物は酸化防止剤を含むことができ、これは、好ましくは、アミノ酸（例えば、グリシン、ヒスチジン、チロシン、トリプトファン）及びこれらの誘導体、イミダゾール類（例えばウロカニン酸）及びこれらの誘導体、ペプチド、例えばＤＬ−カルノシン、Ｄ−カルノシン、Ｌ−カルノシン及びこれらの誘導体（例えばアンセリン）、カロチノイド類、カロチン類（例えば、α−カロチン、β−カロチン、リコピン）及びこれらの誘導体、クロロゲン酸及びこれの誘導体、リポン酸及びこれの誘導体（例えばジヒドロリポン酸）、オーロチオグルコース、プロピルチオウラシル及び他のチオール類（例えば、チオレドキシン、グルタチオン、システイン、シスチン、シスタミン及びこれらのグリコシル−、Ｎ−アセチル−、メチル−、エチル−、プロピル−、アミル−、ブチル−及びラウリル−、パルミトイル−、オレイル−、γ−リノレイル−、コレステリル−及びグリセリルエステル）並びにこれらの塩、ジラウリルチオジプロピオネート、ジステアリルチオジプロピオネート、チオジプロピオン酸及びこれらの誘導体（例えば、エステル、エーテル、ペプチド、リピド、ヌクレオチド、ヌクレオシド及び塩）、並びに非常に少量の許容可能な量でのスルホキシミン化合物（例えば、ブチオニンスルホキシミン、ホモシステインスルホキシミン、ブチオニンスルホン、ペンタ−、ヘキサ−、ヘプタチオニンスルホキシミン）、更に（金属）キレート化剤（例えば、α−ヒドロキシ脂肪酸、パルミチン酸、フィチン酸、ラクトフェリン）、α−ヒドロキシ酸（例えば、クエン酸、乳酸、リンゴ酸）、フミン酸、胆汁酸、胆汁エキス、ビリルビン、ビリベルジン、ＥＤＴＡ、ＥＧＴＡ及びこれの誘導体、不飽和脂肪酸及びそれの誘導体（例えば、γ−リノレン酸、リノール酸、オレイン酸）、葉酸及びこれの誘導体、ユビキノン及びユビキノール及びそれの誘導体、ビタミンＣ及び誘導体（例えばアスコルビルパルミテート、Ｍｇアスコルビルホスフェート、アスコルビルアセテート）、トコフェロール類及び誘導体（例えばビタミンＥ−アセテート）、ビタミンＡ及び誘導体（ビタミンＡ−パルミテート）並びにベンゾイン樹脂のコニフェリルベンゾエート、ルチン酸及びそれの誘導体、α−グリコシルルチン、フェルラ酸、フルフリリデングルシトール、カルノシン、ブチルヒドロキシトルエン、ブチルヒドロキシアニソール、ノルジヒドログアヤク樹脂酸、ノルジヒドログアヤレト酸、トリヒドロキシブチロフェノン、尿酸及びそれの誘導体、マンノース及びそれの誘導体、亜鉛及びそれの誘導体（例えばＺｎＯ、ＺｎＳＯ４）、セレン及びそれの誘導体（例えば、セレンメチオニン）、スチルベン類及びそれの誘導体（例えば、酸化スチルベン、ｔｒａｎｓ−酸化スチルベン）、超酸化物−ジスムターゼ、及び上記の物質の本発明に適当な誘導体（塩、エステル、エーテル、糖、ヌクレオチド、ヌクレオシド、ペプチド及びリピド）から選択される。
【０１６２】
酸化防止剤は、酸化的な負荷に対して皮膚及び毛髪を保護することができる。この際、好ましい酸化防止剤は、ビタミンＥ及びそれの誘導体、並びにビタミンＡ及びそれの誘導体である。
【０１６３】
本発明の組成物中での一種またはそれ以上の酸化防止剤の量は、該組成物の総重量を基準にして好ましくは０．００１〜３０重量％、特に好ましくは０．０５〜２０重量％、就中好ましくは１〜１０重量％である。
【０１６４】
更に、２−ピロリドン−５−カルボキシレートのナトリウム塩（ＮａＰＣＡ）、グアニジン、グリコール酸及びそれの塩、乳酸及びそれの塩、グルコスアミン及びそれの塩、ラクタミドモノエタノールアミン、アセトアミドモノエタノールアミン、尿素、ヒドロキシ酸、パンテノール及びそれの誘導体、例えばＤ−パンテノール（Ｒ−２，４−ジヒドロキシ−Ｎ−（３−ヒドロキシプロピル）−３，３−ジメチルブトアミド）、ＤＬ−パンテノール、パントテン酸カルシウム、ペンセチン、パントテイン、パンテニルエチルエーテル、イソプロピルパルミテート、グリセリン及び／またはソルビトールから選択される保湿剤を、完成した組成物を基準にして好ましくは０．１〜１５重量％、特に好ましくは０．５〜５重量％の量で使用することができる。
【０１６５】
追加的に、本発明の組成物は有機溶剤を含むことができる。原則的に、有機溶剤としては、全ての一価もしくは多価アルコールの全てを使用することができる。好ましくは、炭素原子数が１〜４のアルコール、例えばエタノール、プロパノール、イソプロパノール、ｎ−ブタノール、ｉ−ブタノール、ｔ−ブタノール、グリセリン、及び前記のアルコールからなる混合物が使用される。更に別の好ましいアルコールは、２０００未満の相対分子量を有するポリエチレングリコールである。特に、２００〜６００の相対分子量を有するポリエチレングリコールを４５重量％までの量で、及び４００〜６００の相対分子量を有するポリエチレングリコールを５〜２５重量％の量で使用することが好ましい。更に別の好適な溶剤は、例えばトリアセチン（グリセリントリアセテート）及び１−メトキシ−２−プロパノールである。
【０１６６】
本発明の組成物中に含まれる染料及び顔料（有機系、無機系染料の両方）は、然るべき化粧規則のポジティブリストまたは化粧料着色剤のＥＧリストから選択される。
【０１６７】
2010535254.tif 000009
2010535254.tif 000010
2010535254.tif 000011
2010535254.tif 000012
2010535254.tif 000013
2010535254.tif 000014
2010535254.tif 000015
2010535254.tif 000016
2010535254.tif 000017
更に、油溶性天然染料、例えばパプリカエキス、β−カロチン及びコヘニールも有利である。
【０１６８】
また、真珠光沢顔料、例えばパールエッセンス（魚鱗からのグアニン／ハイポキサンチン混晶）及び真珠母貝（粉砕した二枚貝の殻）、単結晶性真珠光沢顔料、例えばビスムトキシクロライド（ＢｉＯＣｌ）、層−基材顔料、例えば雲母／酸化金属、ＴｉＯ２からなるシルバーホワイト真珠光沢顔料、干渉顔料（ＴｉＯ２、様々な層厚）、カラー光沢顔料（Ｆｅ２Ｏ３）、及びコンビネーション顔料（ＴｉＯ２／Ｆｅ２Ｏ３、ＴｉＯ２／Ｃｒ２Ｏ３、ＴｉＯ２／ベルリンブルー、ＴｉＯ２／カルミン）も有利に使用される。
【０１６９】
本発明の枠内において、効果顔料（Ｅｆｆｅｋｔｐｉｇｍｅｎｔ）とは、それらの屈折性によって特に光学的な効果を引き起こす顔料のことと解される。効果顔料は、処理された表面（皮膚、毛髪、粘膜）に光沢効果または光輝効果を与えるか、または拡散光散乱によって皮膚の起伏及び皮膚の皺を光学的に覆い隠すことができる。効果顔料の特別な実施形態としては干渉顔料が好ましい。特に好適な効果顔料は、例えば、少なくとも一種の酸化金属で被覆された雲母粒子である。雲母の他に、層状ケイ酸塩、シリカゲル及び他のＳｉＯ２変態も担体として好適である。被覆にしばしば使用される金属酸化物は、例えば酸化チタンであり、これには望ましい場合には酸化鉄と混合してもよい。顔料粒子の大きさ及び形状（例えば、球形、楕円形、平坦（ａｂｇｅｆｌａｃｈｔ）、平ら（ｅｂｅｎ）、凹凸）を介して並びに酸化物被覆の厚さを介して、反射特性に影響を与えることができる。他の金属酸化物、例えばビスムトキシクロライド（ＢｉＯＣｌ）、並びに例えばチタンの酸化物、特にＴｉＯ２変態のアナタス及びルチル、アルミニウム、タンタル、ニオブ、ジルコニウム及びハフニウムも使用できる。フッ化マグネシウム（ＭｇＦ２）及びフッ化カルシウム（フルオロスパー，ＣａＦ２）を用いて効果顔料を製造することもできる。
【０１７０】
上記効果は、顔料集合体の粒度や、粒度分布を介して制御できる。適当な粒度分布は、例えば２〜５０μｍ、５〜２５μｍ、５〜４０μｍ、５〜６０μｍ、５ 〜９５μｍ、５〜１００μｍ、１０〜６０μｍ、１０〜１００μｍ、１０〜１２５μｍ、２０〜１００μｍ、２０ 〜１５０μｍ、並びに＜１５μｍである。より広い粒度分布、例えば２０〜１５０μｍの粒度分布は光輝性の効果を引き起こし、他方で＜１５μｍのより狭い粒度分布は、均一な絹のような外観をもたらす。
【０１７１】
本発明の組成物は、効果顔料を、それぞれ組成物の総重量を基準にして好ましくは０．１〜２０重量％、特に好ましくは０．５〜１０重量％、特に好ましくは１〜５重量％の量で含む。装飾用物質としては、好ましいものはアラントイン及びビスアボロールである。これらは、好ましくは０．０００１〜１０重量％の量で使用される。
【０１７２】
フレグランス油または香油としては、個々の匂い化合物、例えばエステル、エーテル、アルデヒド、ケトン、アルコール及び炭化水素のタイプの合成生成物を使用することができる。エステルタイプの匂い化合物は、例えば、ベンジルアセテート、フェノキシエチルイソブチレート、ｐ−ｔｅｒｔ．−ブチルシクロヘキシルアセテート、リナリルアセテート、ジメチルベンジルカルビニルアセテート、フェニルエチルアセテート、リナリルベンゾエート、ベンジルホルミエート、エチル−メチルフェニルグリシネート、アリルシクロヘキシルプロピオネート、スチラリルプロピオネート及びベンジルサリチレートである。エーテルには、例えばベンジルエチルエーテルが、アルデヒドには、例えば炭素原子数８〜１８の線状アルカナール、シトラール、シトロネラール、シトロネリルオキシアセトアルデヒド、シクラメンアルデヒド、ヒドロキシシトロネラール、リリアール及びブルゲオナールが、ケトンには、例えばアイオノン、アルファ−イソメチルアイオノン及びメチル−セドリルケトンが、アルコールには、アネトール、シトロネロール、オイゲノール、ゲラニオン、リナロール、フェニルエチルアルコール及びテルピネオールが、炭化水素には主にテルペン類及びバルサム類が挙げられる。好ましくは、一緒になって心地良い香気を生む様々な匂い物質の混合物が使用される。
【０１７３】
香油は、植物性または動物性の源から得ることができる天然の匂い物質混合物、例えばパイン油、シトラス油、ジャスミン油、ユリ油、バラ油、またはイランイラン油も含むことができる。大概の場合に芳香族成分として使用される揮発性が比較的低いエーテル油も香油として適しており、例えばセージ油、カモミール油、チョウジ油、メリッサ油、ハッカ油、シナモンリーフ油、リンデンブロッサム油、ジュニパーベリー油、ベチバー油、オリバナム油、ガルバナム油及びラダナム油などがある。
【０１７４】
真珠光沢付与性成分としては、脂肪酸モノアルカノールアミド、脂肪酸ジアルカノールアミド、アルキレングリコール、特にエチレングリコール及び／またはプロピレングリコールまたはこれらのオリゴマーと高級脂肪酸、例えばパルミチン酸、ステアリン酸及びベヘン酸とのモノエステルまたはジエステル、グリセリンとカルボン酸、脂肪酸及びこれらの金属塩とのモノエステルもしくはポリエステル、ケトスルホン類、または上記の化合物の混合物が好適である。特に好ましいものは、エチレングリコールジステアレート及び／またはグリコール単位数が平均で３のポリエチレングリコールジステアレートである。
【０１７５】
本発明の組成物が真珠光沢付与性化合物を含む場合には、これらは好ましくは０．１〜１５重量％、特に好ましくは１〜１０重量％の量で本発明の組成物中に含まれる。
【０１７６】
ｐＨ値の調節のための酸またはアルカリとしては、好ましくは鉱酸、例えばＨＣｌ、無機塩基、例えばＮａＯＨまたはＫＯＨ、及び有機酸、好ましくはクエン酸が使用される。
【実施例】
【０１７７】
以下の例及び使用例は本発明をより詳しく説明するものであるが、本発明はこれらに限定されない。百分率の値は全て重量％である。
製造例、一般作業手順
本発明のリン酸エステルの製造では、リン酸（８５％濃度）、ジオール及び脂肪アルコールエトキシレートを所定のモル比で使用する。このために、全ての原料を、加熱ジャケット、凝縮器付きの分離器（Ａｕｓｋｒｅｉｓｅｒ）及び真空接続部（Ｖａｋｕｕｍａｎｓｃｈｌｕｓｓ）を備えた攪拌装置中に仕込む。この混合物を１００℃に加熱し、１００ｍｂａｒまで三回排気し、次いで窒素で再び換気する。更に１００℃で４時間不活性化（２０リットル／時間の窒素導通）した後、このバッチを窒素導通下に２３０℃に加熱しそしてエステル化する（水の除去）。反応時間は２４〜４２時間（２３０℃のエステル化温度から始めて計算する）、特に４０時間である。この際、残留酸価は＜３ｍｇＫＯＨ／ｇである。これは、（開始時の酸価に基づいて）約９３〜９６％の転化率に相当する。反応の終了後、生成物を８０℃に冷却し、シャーレに注ぎ入れ、そして凝固した溶融物を細化する。
【０１７８】
例１：
２：１：４のモル比の１１．５ｇのリン酸、１９７．５ｇのポリグリコール４０００及び２９６．０ｇのセテアレス−２５（Ｃ１６／１８−脂肪アルコール＋２５モルのエチレンオキシド）からなるエステル（式Ｅ２）、残留酸価：１．５ｍｇＫＯＨ／ｇ（９６％転化率）、３１Ｐ−ＮＭＲ：ジエステル／トリエステル＝１３／８７モル％。
【０１７９】
例２：
３：２：５のモル比の１３．８ｇのリン酸、３１６．１ｇのポリグリコール４０００及び２９６．０ｇのセテアレス−２５（Ｃ１６／１８−脂肪アルコール＋２５モルのエチレンオキシド）からなるエステル（式Ｅ２Ｍ）、残留酸価：１．９ｍｇＫＯＨ／ｇ（９４％転化率）、３１Ｐ−ＮＭＲ：ジエステル／トリエステル＝１８／８２モル％。
【０１８０】
例３：
４：３：６のモル比の１５．４ｇのリン酸、３９５．１ｇのポリグリコール４０００及び２９３．３ｇのセテアレス−２５（Ｃ１６／１８−脂肪アルコール＋２５モルのエチレンオキシド）からなるエステル（式Ｅ２Ｍ２及びＥ３Ｖ）、残留酸価：２．３ｍｇＫＯＨ／ｇ（９３％転化率）、３１Ｐ−ＮＭＲ：ジエステル／トリエステル＝１８／８２モル％。
【０１８１】
例４：
３：２：５のモル比の４７．８ｇのリン酸、１７１６．８ｇのポリグリコール６０００及び５１５．９ｇのセテアレス−１１（Ｃ１６／１８−脂肪アルコール＋１１モルのエチレンオキシド）からなるエステル（式Ｅ２Ｍ２及びＥ３Ｖ）、残留酸価：２．３ｍｇＫＯＨ／ｇ（９３％転化率）、３１Ｐ−ＮＭＲ：ジエステル／トリエステル＝２０／８０モル％。
【０１８２】
例５：
３：２：５のモル比の１３．８ｇのリン酸、１１７．５ｇのポリグリコール１５００及び４２５．０ｇのセテアレス−５０（Ｃ１６／１８−脂肪アルコール＋５０モルのエチレンオキシド）からなるエステル（式Ｅ２Ｍ２及びＥ３Ｖ）、残留酸価：１．９ｍｇＫＯＨ／ｇ（９４％転化率）、３１Ｐ−ＮＭＲ：ジエステル／トリエステル＝１６／８４モル％。
【０１８３】
例６：
２：１：４のモル比の１１．５ｇのリン酸、７３．４ｇのポリグリコール１５００及び２９６．０ｇのセテアレス−２５（Ｃ１６／１８−脂肪アルコール＋２５モルのエチレンオキシド）からなるエステル（式Ｅ２）、残留酸価：  ２．５ｍｇＫＯＨ／ｇ（９４％転化率）、３１Ｐ−ＮＭＲ：ジエステル／トリエステル＝１３／８７モル％。
【０１８４】
例７：
２：１：４のモル比の１１．５ｇのリン酸、４０９．５ｇのポリグリコール８０００及び２９６．０ｇのセテアレス−２５（Ｃ１６／１８−脂肪アルコール＋２５モルのエチレンオキシド）からなるエステル（式Ｅ２）、残留酸価：１．１ｍｇＫＯＨ／ｇ（９５％転化率）、３１Ｐ−ＮＭＲ：ジエステル／トリエステル＝１３／８７モル％。
【０１８５】
例８：
３：２：５のモル比の１３．８ｇのリン酸、１１７．４ｇのポリグリコール１５００及び２９６．０ｇのセテアレス−２５（Ｃ１６／１８−脂肪アルコール＋２５モルのエチレンオキシド）からなるエステル（式Ｅ２Ｍ２及びＥ３Ｖ）、残留酸価：２．４ｍｇＫＯＨ／ｇ（９５％転化率）、３１Ｐ−ＮＭＲ：ジエステル／トリエステル＝１３／８７モル％。
【０１８６】
例９
３：２：５のモル比の１３．８ｇのリン酸、６５５．２ｇのポリグリコール８０００及び２９６．０ｇのセテアレス−２５（Ｃ１６／１８−脂肪アルコール＋２５モルのエチレンオキシド）からなるエステル（式Ｅ２Ｍ２及びＥ３Ｖ）、残留酸価：１．０ｍｇＫＯＨ／ｇ（９５％転化率）、３１Ｐ−ＮＭＲ：ジエステル／トリエステル＝１１／８９モル％。
【０１８７】
例１０：
４：３：６のモル比の１５．４ｇのリン酸、１４６．８ｇのポリグリコール１５００及び２９３．３ｇのセテアレス−２５（Ｃ１６／１８−脂肪アルコール＋２５モルのエチレンオキシド）からなるエステル（式Ｅ２Ｍ２及びＥ３Ｖ）、残留酸価：３，７ｍｇＫＯＨ／ｇ（９３％転化率）、３１Ｐ−ＮＭＲ：ジエステル／トリエステル＝１６／８４モル％。
【０１８８】
例１１：
４：３：６のモル比の１５．４ｇのリン酸、８１９．０ｇのポリグリコール８０００及び２９３．３ｇのセテアレス−２５（Ｃ１６／１８−脂肪アルコール＋２５モルのエチレンオキシド）からなるエステル（式Ｅ２Ｍ２及びＥ３Ｖ）、残留酸価：１．４ｍｇＫＯＨ／ｇ（９３％転化率）、３１Ｐ−ＮＭＲ：ジエステル／トリエステル＝１９／８１モル％。
【０１８９】
比較例：
比較例として、ＰＥＧ１５０−ペンタエリトリチルテトラステアレート（Ｃｒｏｔｈｉｘ）、ＰＥＧ−１５０−ポリグリセリル−２−トリステアレート（Ｇｅｎａｐｏｌ（登録商標）ＤＡＴ  １００）及びＰＥＧ１５０−ジステアレート（Ｒｅｗｏｐａｌ（登録商標）ＰＥＧ６０００  ＤＳ）、典型的なエトキシル化された脂肪酸エステルを使用した。粘度は、測定すべき溶液の製造直後（“直後の粘度”）及びこの溶液の貯蔵後に、２０℃でブルックフィールド粘度計のタイプＲＶＴを用いて２０ｒｐｍで測定した。
表１：  商業製品と比較した製造例１〜１１の６重量％水溶液の粘度
【０１９０】
【表１】
2010535254.tif 000018
表１には、例１〜１１の本発明のリン酸エステルが、比較例に対し、一方では水中で高い粘度の透明なゲルを与え、他方では、貯蔵の際の粘度の低下が、例えばＰＥＧ−１５０ペンタエリトリチルテトラステアレートよりも明らかに小さいことが確認できる。
表２：  ８：２の比率２個のエチレンオキシド単位を有するラウレスエーテル硫酸ナトリウム（ＩＮＣＩ：  ラウレス硫酸ナトリウム）：コカミドプロピルベタイン中の１重量％溶液の粘度：  ラウレス硫酸ナトリウム／コカミドプロピルベタインの活性物質含有率１５重量％、ｐＨ４〜４．４
【０１９１】
【表２】
2010535254.tif 000019
表２には、例１、２、８及び１０の本発明のリン酸エステルが、比較例に対して、界面活性剤中で高粘度のゲルを与え、そして比較例とは異なり、これは貯蔵の際に粘度を失わないことが確認できる。
【０１９２】
処方例：
処方例１（フェーシャルクレンジングフォーム）
Ａ  ステアリン酸                                        １．６０％
ミリスチン酸                                        １．８０％
ラウリン酸                                          ０．７０％
テギン（Ｔｅｇｉｎ）Ｍ                              ０．５０％
グリセリルステアレート
パルミチン酸                                        ０．７０％
Ｂ  水                                                  残量
Ｃ  水酸化カリウム                                      ０．７０％
例１のリン酸エステル                                １．００％
調製：
Ｉ      Ａを８０℃で溶融する。
ＩＩ    Ｃを攪拌及び６０℃下にＢ中に溶解し、次いでＩに加える。
ＩＩＩ  攪拌下に冷却する。
【０１９３】
処方例２（クリームリンス）
Ａ  Ｇｅｎａｍｉｎ（登録商標）ＣＴＡＣ   (Clariant)        ６．００％
セトリモニウムクロライド
Ｈｏｓｔａｃｅｒｉｎ（登録商標）ＤＧＬ(Clariant)      １．５０％
ＰＥＧ−１０ジグリセリル−２ラウレート
セチルステアリルアルコール                            １．７０％
パラフィン油                                          １．００％
Ｂ  水                                                    残量
Ｃ  例４のリン酸エステル                                  １．００％
Ｄ  香料                                                  ０．３０％
パンテノール                                          ０．３０％
防腐剤                                                適量
染料                                                  適量
調製
Ｉ      Ａを７５℃で溶融する。
ＩＩ   Ｃを６０℃で攪拌下にＢ中に溶解する。
ＩＩＩ  ＩＩを攪拌下にＩに加える。冷えるまで攪拌する。
ＩＶ    ４０℃でＤの成分を加える。
Ｖ      ｐＨ値を４に調節する。
【０１９４】
処方例３（ライト・リーブ・オン・フォア・ヘアチップ(Light Leave on for Hair tips))
Ａ  SilCare（登録商標）Silicone 41M15(Clariant)          ０．３０％
カプリリルメチコーン
Ｂ  Ｇｅｎａｐｏｌ（登録商標）ＬＡ０７０(Clariant)        ８．００％
ラウレス−７
Ｃ  水                                                    残量
Ｄ  例２のリン酸エステル                                  ２．００％
Ｅ  バイオブラニル（Ｂｉｏｂｒａｎｉｌ）                  ０．５０％
ダイズ（ツルマメ）油及び小麦（小麦胚芽）糠脂質
グリセリン                                            ２．００％
パンテノール                                          ０．５０％
Ｆ  SilCare（登録商標）Silicone SEA(Clariant)            ０．５０％
トリデセス−９ＰＧアモジメチコーン及びトリデセス−１２
Ｇｅｎａｍｉｎ（登録商標）ＣＴＡＣ(Clariant)          ２．００％
セトリモニウムクロライド
Ｎｉｐａｇｕａｒｄ（登録商標）ＤＭＤＭＨ(Clariant)    ０．２０％
ＤＭＤＭＨヒダントイン
調製：
Ｉ      ＡをＢ中で可溶化する。
ＩＩ    Ｄを６０℃で攪拌下にＣ中に溶解する。
ＩＩＩ  ＥをＩＩに加え、そして溶液が透明になるまで攪拌し、その後、Ｉに加える。
ＩＶ    ＦをＩＩＩに加える。
【０１９５】
処方例４（過酸化水素ゲル）
Ａ  例３のリン酸エステル                                  ５．００％
Ｇｅｎａｐｏｌ（登録商標）Ｔ２５０(Clariant)          ２．００％
セテアレス−２５
Ｂ  水                                                    残量
Ｃ  リン酸                                                ０．０４％
リン酸二水素ナトリウム                                １．００％
Ｄ  過酸化水素３０％濃度                                  １８．００％
調製：
Ｉ      攪拌及び５０℃に加温して、ＡをＢ中に溶解する。
ＩＩ    ２５℃でＣを加える。
ＩＩＩ  室温でＤを加える。
【０１９６】
処方例５（消臭ゲル）
Ａ  Ｏｃｔｏｐｉｒｏｘ（登録商標）(Clariant)            ０．１０％
ピロクトンオラミン
Ｂ  Ｅｍｕｌｓｏｇｅｎ（登録商標）ＨＣＰ０４９(Clariant)  １０．００％
ＰＥＧ−４０水素化ヒマシ油及びプロピレングリコール
香料                                                ０．２０％
Ｃ  水                                                  残量
Ｄ  例５のリン酸エステル                                ３．００％
Ｅ  クエン酸                                            適量
調製：
Ｉ      ＡをＢ中に溶解する。
ＩＩ    攪拌及び軽い加熱下にＤをＣ中に溶解し、次いでＩＩをＩに加える。
ＩＩＩ  必要に応じて、Ｅを用いてｐＨ値を６．０に調節する。
【０１９７】
処方例６（メークアップリムーバ）
Ａ  Ｖｅｌｓａｎ（登録商標）Ｐ８−３(Clariant)        ５．００％
イソプロピルＣ１２−１５パレス−９カルボキシレート
Ｂ  Ｈｏｓｔａｐｏｎ（登録商標）ＣＧＮ(Clariant)      ２．００％
ココイルグルタミン酸ナトリウム
Ｇｅｎａｇｅｎ（登録商標）ＣＡＢ(Clariant)        ３．００％
コカミドプロピルベタイン
アラントイン(Clariant)                            ０．３０％
Ａｒｉｓｔｏｆｌｅｘ（登録商標）ＰＥＡ(Clariant)  １．００％
ポリプロピレンテレフタレート
１．６ヘキサンジオール                            ２．００％
１．２プロパンジオール                            ２．００％
ポリグリコール４００(Clariant)                    ２．００％
ＰＥＧ−８
パンテノール                                      ０．５０％
ルトロール（Ｌｕｔｒｏｌ）Ｆ１２７                ３．００％
ポロキサマー（Ｐｏｌｏｘａｍｅｒ）４０７
防腐剤                                            適量
Ｃ  例１０のリン酸エステル                            １．００％
Ｄ  水                                                残量
Ｅ  Ｇｅｎａｐｏｌ（登録商標）ＬＡ０７０(Clariant)    ２．００％
ラウレス−７
調製：
Ｉ      Ｂの成分をＡに徐々に加え、そして透明な溶液が生ずるまで攪拌する。
ＩＩ    攪拌及び軽く加熱しながらＣをＤ中に溶解し、ＩＩをＩに加える。
ＩＩＩ  ＥをＩ中に混ぜ入れる。
【０１９８】
処方例７（美白ゲル）
Ａ  水                                                残量
アルギニン                                        １．１０％
例１１のリン酸エステル                            ４．００％
Ｂ  ジプロピレングリコール                            ８．００％
Ｇｅｎａｐｏｌ（登録商標）Ｃ１００(Clariant)      ０．６０％
コセス（Ｃｏｃｅｔｈ）−１０
クエン酸ナトリウム＊２Ｈ２Ｏ                       ０．０９％
クエン酸１０．０％                                ０．１０％
Ｎｉｐａｇｉｎ（登録商標）Ｍ(Clariant)              ０．２０％
メチルパラベンアスコルビン酸−２−グルコシド      ２．００％
調製：
Ｉ    Ａの成分を混合し、そして攪拌及び軽く加熱しながら溶解する。
ＩＩ Ｂの成分をＩに加えそして溶解する。必要な場合には調合物を軽く加熱する。
【０１９９】
処方例８（フェーシャルトナー）
Ａ  グリセリン                                        ８．００％
ポリグリコール４００(Clariant)                      ５．００％
ＰＥＧ−８
パンテノール                                      ０．５０％
香料                                              ０．２０％
アルコール                                        ８．００％
防腐剤                                            適量
アラントイン(Clariant)                            ０．１０％
ニアシナミド                                      ０．１０％
エキストラポンハマメリス(Extrapon Hamamelis)      １．００％
水、ウイッチハーゼル蒸留物、ＳＤアルコール３９−Ｃ、ブチレングリコール
Ｂ  水                                                  残量
Ｃ  例６のリン酸エステル                                ２．００％
調製：
Ｉ    攪拌及び軽く加熱しながらＣをＢ中に溶解する。
ＩＩ  Ａの成分をＩに加え、そして調合物が均一になるまで攪拌する。
【０２００】
処方例９（ヘアシャンプー）
Ａ  Ｇｅｎａｐｏｌ（登録商標）ＬＲＯ液状(Clariant)      ３０．００％
ラウレス硫酸ナトリウム
Ｈｏｓｔａｐｏｎ（登録商標）ＣＧＮ(Clariant)          ５．００％
ココイルグルタミン酸ナトリウム
香料                                                ０．３０％
Ｂ  水                                                  残量
Ｃ  例７のリン酸エステル                                １．５０％
防腐剤                                              適量
染料                                                適量
Ｇｅｎａｇｅｎ（登録商標）ＣＡＢ(Clariant)          ８．００％
コカミドプロピルベタイン
調製：
Ｉ      攪拌及び５０℃に加熱して、ＣをＢ中に溶解する。
ＩＩ    Ａの成分を徐々にＩ中に混ぜ入れる。
ＩＩＩ  必要な場合には、ｐＨ値を調節する。
【０２０１】
処方例１０（フォームバス）
Ａ  Ｇｅｎａｐｏｌ（登録商標）ＬＲＯ液状(Clariant)      ６０．００％
ラウレス硫酸ナトリウム
Ｂ  Ｍｅｄｉａｌａｎ（登録商標）ＬＤ(Clariant)          ８．００％
ラウロイルサルコシン酸ナトリウム
香料                                                １．５０％
Ｖｅｌｓａｎ（登録商標）ＣＧ０７０(Clariant)          ５．００％
ＰＥＧ−７グリセリルココエート
Ｃ  例２のリン酸エステル                                １．００％
Ｄ  水                                                  残量
Ｅ  染料                                                適量
防腐剤                                              適量
Ｇｅｎａｇｅｎ（登録商標）ＣＡＢ(Clariant)            ６．００％
コカミドプロピルベタイン
調製：
Ｉ      Ｂの成分を徐々にＡ中に混ぜ入れる。
ＩＩ    攪拌及び５０℃に加熱して、ＣをＤ中に溶解する。
ＩＩＩ  ＩをＩＩに加える。
ＶＩ    ＥをＩＩＩに混ぜ入れる。
Ｖ      必要な場合には、ｐＨ値を調節する。
【０２０２】
処方例１１（Ｏ／Ｗスキンミルク）
Ａ  Ｈｏｓｔａｃｅｒｉｎ（登録商標）ＤＧＩ(Clariant)    ２．００％
ポリグリセリル−２セスキイソステアレート
イソプロピルパルミテート                            ４．００％
オクチルドデカノール                                ４．００％
Ｎｉｐａｇｕａｒｄ（登録商標）ＰＤＵ(Clariant)      適量
プロピレングリコール（及び）ジアゾリジニル尿素（及び）
メチルパラベン（及び）プロピルパラベン
Ｂ  Ａｒｉｓｔｏｆｌｅｘ（登録商標）ＡＶＣ(Clariant)    １．２０％
アンモニウムアクリロイルジメチルタウレート／ＶＰコポリマー
Ｃ  Ｈｏｓｔａｐｏｎ（登録商標）ＣＧＮ(Clariant)        ０．６０％
ココイルグルタミン酸ナトリウム
水                                                  残量
Ｄ  例２のリン酸エステル                                １．００％
Ｅ  香料                                                ０．４０％
調製：
Ｉ      攪拌及び５０℃に加熱して、ＤをＣ中に溶解する。
ＩＩ    ＢをＡに加え、その後、Ｉを加えそして十分に攪拌する。
ＩＩＩ  ＥをＩＩに加える。
ＩＶ    最後に、調合物を均一化する。
【０２０３】
処方例１２（発汗抑制剤ロールオンタイプ）
Ａ  例２のリン酸エステル                                １．５０％
Ｂ  水                                                  残量
Ｃ  Ｌｏｃｒｏｎ（登録商標）Ｌ(Clariant)                ２０．００％
アルミニウムクロロハイドレート
Ｄ  Ｇｅｎａｐｏｌ（登録商標）Ｔ２５０(Clariant)          ５．００％
セテアレス−２５
ブチレングリコール                                  ３．００％
セチオールＯＥ                                      １．００％
ジカプリリルエーテル
グリセリルイソステアレート                          ２．００％
Ｅ  SilCare（登録商標）Silicone SEA(Clariant)           ０．５０％
トリデセス−９ＰＧアモジメチコーン及びトリデセス−１２
調製：
Ｉ      攪拌及び６０℃に加熱して、ＡをＢ中に溶解する。
ＩＩ    ＣをＩに加える。
ＩＩＩ  Ｄを５０℃で溶融し、そしてＩＩを加え、透明な溶液が生ずるまで攪拌する。
ＩＶ    ３０℃でＥを加える。
【０２０４】
処方例１２は、例２のリン酸エステルを含まない他は同じ処方と比べて、皮膚に回転塗布（ロールオン）して使用した後に衣服上の白色の残渣が明らかに少なかった。
【０２０５】
処方例１３（ビタミンＣゲル）
Ａ  例２のリン酸エステル                                １．００％
Ｇｅｎａｐｏｌ（登録商標）Ｔ２５０(Clariant)          ２．００％
セテアレス−２５
Ｂ  水                                                残量
Ｃ  アスコルビン酸                                    ３．００％
Ｄ  Ａｒｉｓｔｏｆｌｅｘ  ＡＶＣ(Clariant)            ０．８０％
アンモニウムアクリロイルジメチルタウレート／ＶＰコポリマー
調製：
Ｉ      ５０℃で攪拌しながらＡをＢ中に溶解する。
ＩＩ    室温で、ＣをＩ中に混ぜ入れる。
ＩＩＩ  Ｄを加え、そして均一なゲルが生ずるまで攪拌する。
【０２０６】
処方例１４（シャワーバス）
Ａ  例２のリン酸エステル(Clariant)                      ３．００％
Ａｒｉｓｔｏｆｌｅｘ（登録商標）ＰＥＡ(Clariant)    ２．００％
ポリプロピレン−テレフタレート
Ｂ  水                                                  残量
Ｃ  Ｇｅｎａｐｏｌ（登録商標）ＬＲＯ液状(Clariant)      ３０．００％
ラウレス硫酸ナトリウム
Ｇｅｎａｐｏｌ（登録商標）ＬＡ０３０(Clariant)      １．５０％
ラウレス−３
Ｈｏｓｔａｐｏｎ（登録商標）ＣＬＧ(Clariant)        ５．００％
ラウロイルグルタミン酸ナトリウム
Ｇｅｎａｇｅｎ（登録商標）ＫＢ(Clariant)            ６．００％
ココベタイン
香料                                                ０．３０％
染料                                                適量
防腐剤                                              適量
調製：
Ｉ      ５０℃でＡをＢ中に溶解する。
ＩＩ    Ｃの成分を順にＩ中に混ぜ入れる。
ＩＩＩ  必要な場合には、ｐＨ値を調節する。
【０２０７】
処方例１５（フェーシャルアンチエージングクリームゲル）
Ａ  例８のリン酸エステル(Clariant)                      １．００％
Ｂ  水                                                  残量
Ｃ  パラフィン油                                        ５．００％
SilCare（登録商標）Silicone 31M50(Clariant)         ３．００％
カプリリルトリメチコーン
Ｄ  Ａｒｉｓｔｏｆｌｅｘ（登録商標）ＡＶＣ(Clariant)          １．８０％
アンモニウムアクリロイルジメチルタウレート／ＶＰコポリマー
Ｅ  グリコール酸３０％＊                                      ６．００％
Ｐｈｅｎｏｎｉｐ（登録商標）(Clariant)                    ０．５０％
フェノキシエタノール（及び）メチルパラベン（及び）
エチルパラベン（及び）ブチルパラベン（及び）
プロピルパラベン（及び）イソブチルパラベン
Ｆ  Ｇｅｎａｐｏｌ（登録商標）ＬＡ０７０(Clariant)          ２．００％
ラウレス−７
＊  ＮａＯＨでｐＨ４に中和した。
調製：
Ｉ      ５０℃で攪拌しながらＡをＢ中に溶解する。
ＩＩ    ＤをＣ中に混ぜ入れる。
ＩＩＩ  ＩをＩＩ中に混ぜ入れ、そして均一なゲルが生ずるまで攪拌する。
ＩＶ    ＥをＩＩＩ中に加える。
Ｖ      ＦをＩＶ中に混ぜ入れ、そしてクリームゲルが均一になるまで攪拌する。
【０２０８】
処方例１６（Ｏ／Ｗセルフタニングクリーム）
Ａ  Ｈｏｓｔａｐｈａｔ（登録商標）ＣＣ１００(Clariant)      １．０％
セチルホスフェート
グリセリルステアレート                                  ０．５％
セテアリールアルコール                                  ０．５％
パラフィン油                                            ８．０％
イソプロピルパルミテート                                ７．０％
SilCare（登録商標）Silicone 41M15(Clariant)                １．０％
カプリリルメチコーン
Ｂ  Ａｒｉｓｔｏｆｌｅｘ（登録商標）ＡＶＣ(Clariant)        １．２％
アンモニウムアクリロイルジメチルタウレート／ＶＰコポリマー
Ｃ  水                                                      残量
Ｄ  例９のリン酸エステル(Clariant)                          １．０％
Ｅ  Ｈｏｓｔａｐｏｎ（登録商標）ＣＬＧ(Clariant)            ０．５％
ラウロイルグルタミン酸ナトリウム
グリセリン                                              ５．０％
Ｆ  トコフェリルアセテート                                  １．０％
フレグランス                                            ０．２％
防腐剤                                                  適量
Ｇ  ジヒドロキシアセトン                                    ５．０％
Ｈ  水                                                      ８．０％
Ｉ  水酸化ナトリウム（水中１０％）                          適量
調製：
Ｉ    ８０℃でＡを溶融する。
ＩＩ    ＢをＡ中に混ぜ入れる。
ＩＩＩ  ５０℃でＤをＣ中に溶解し、次いでＥを加える。
ＩＶ    ＩＩＩをＩＩ中に混ぜ入れる。
Ｖ      室温でＦを加える。
ＶＩ    ＧをＨ中に溶解し、そしてＶ中に混ぜ入れる。
ＶＩＩ  必要な場合には、ＩでｐＨ値を４〜５に調節する。
【０２０９】
処方例１７（Ｏ／Ｗサンスクリーンミルク）
Ａ  Ｈｏｓｔａｐｈａｔ（登録商標）ＣＫ１００(Clariant)      ２．００％
セチルリン酸カリウム
SilCare（登録商標）Silicone 41M15(Clariant)                １．００％
カプリリルメチコーン
ステアリン酸                                            ０．５０％
セチルアルコール                                        ０．５０％
Ｃｕｔｉｎａ（登録商標）ＧＭＳ                          １．００％
グリセリルステアレート
Ｃｅｔｉｏｌ（登録商標）ＳＮ                            ４．００％
イソノナン酸セテアリール
Ｖｅｌｓａｎ（登録商標）ＣＣＴ(Clariant)                ４．００％
カプリル／カプリントリグリセリド
Ｎｅｏ（登録商標）Ｈｅｌｉｏｐａｎ  ＢＢ                １．５０％
ベンゾフェノン−３
Ｅｕｓｏｌｅｘ（登録商標）６３００                      ４．００％
４−メチルベンジリデンカンフル
Ｂ  Ａｒｉｓｔｏｆｌｅｘ（登録商標）ＡＶＣ(Clariant)        ０．４０％
アンモニウムアクリロイルジメチルタウレート／ＶＰコポリマー
Ｃ  水                                                      残量
Ｄ  例２のリン酸エステル(Clariant)                          １．００％
Ｅ  グリセリン                                              ３．００％
Ｅｕｓｏｌｅｘ（登録商標）２３２                        ２．００％
フェニルベンズイミダゾールスルホン酸
トリス（ヒドロキシメチル）アミノメタン                  １．１０％
トロメタミン
Ｆ  トコフェリルアセテート                                  ０．５０％
Ｐｈｅｎｏｎｉｐ（登録商標）(Clariant)                  ０．５０％
フェノキシエタノール（及び）メチルパラベン（及び）
ブチルパラベン（及び）エチルパラベン（及び）プロピルパラベン
フレグランス                                            ０．４０％
調製：
Ｉ      ８０℃でＡを溶融し、次いでＢを加える。
ＩＩ    ６０℃でＤをＣ中に溶解する。
ＩＩＩ  ＥをＩＩ中に混ぜ入れる。
ＩＶ    ＩＩＩをＩ中に溶解する。
Ｖ      ３５℃で、ＦをＩＶ中に加える。
【０２１０】
処方例１８（フェーシャルアンチエージングゲル）
Ａ  Ｇｅｎａｐｏｌ（登録商標）Ｔ２５０(Clariant)            １．００％
セテアレス−２５
例２のリン酸エステル(Clariant)                          １．００％
Ｂ  水                                                      残量
Ｃ  Ａｒｉｓｔｏｆｌｅｘ（登録商標）ＡＶＣ(Clariant)        ２．００％
アンモニウムアクリロイルジメチルタウレート／ＶＰコポリマー
Ｄ  グリコール酸３０％＊                                    ６．００％
Ｐｈｅｎｏｎｉｐ（登録商標）(Clariant)                  ０．５０％
フェノキシエタノール（及び）メチルパラベン（及び）
エチルパラベン（及び）ブチルパラベン（及び）プロピルパラベン（及び）
イソブチルパラベン
＊ＮａＯＨでｐＨ４に中和した。
【０２１１】
調製：
Ｉ      ５０℃で攪拌下にＡをＢ中に溶解する。
ＩＩ    Ｃを加え、そして均一なゲルが生ずるまで攪拌する。
ＩＩＩ    Ｄを加え、そしてゲルが再び均一になるまで攪拌する。
【０２１２】
処方例１９（ヘアシャンプー）
Ａ  Ｇｅｎａｐｏｌ（登録商標）ＬＲＯ液状(Clariant)        ３０．００％
ラウレス硫酸ナトリウム
Ｈｏｓｔａｐｏｎ（登録商標）ＣＧＮ(Clariant)            ５．００％
ココイルグルタミン酸ナトリウム
香料                                                  ０．３０％
Ｂ  水                                                    残量
Ｃ  例７のリン酸エステル                                  １．５０％
安息香酸                                              ０．５０％
染料                                                  適量
Ｇｅｎａｇｅｎ（登録商標）ＣＡＢ(Clariant)            ８．００％
コカミドプロピルベタイン
調製：
Ｉ      攪拌及び５０℃に加熱して、ＣをＢ中に溶解する。
ＩＩ    Ａの成分を徐々にＩ中に混ぜ入れる。
ＩＩＩ  ｐＨ値を４．６に調節する。
【０２１３】
処方例２０（フォームバス）
Ａ  Ｇｅｎａｐｏｌ（登録商標）ＬＲＯ液状(Clariant)      ６０．００％
ラウレス硫酸ナトリウム
Ｂ  Ｍｅｄｉａｌａｎ（登録商標）ＬＤ(Clariant)          ８．００％
ラウロイルサルコシン酸ナトリウム
香料                                                １．５０％
Ｖｅｌｓａｎ（登録商標）ＣＧ０７０(Clariant)          ５．００％
ＰＥＧ−７グリセリルココエート
Ｃ  例２のリン酸エステル                                １．００％
Ｄ  水                                                  残量
Ｅ  染料                                                適量
ソルビン酸                                          ０．４０％
Ｇｅｎａｇｅｎ（登録商標）ＣＡＢ(Clariant)            ６．００％
コカミドプロピルベタイン
調製：
Ｉ      Ｂの成分を徐々にＡ中に混ぜ入れる。
ＩＩ    攪拌及び５０℃に加熱して、ＣをＤ中に溶解する。
ＩＩＩ  ＩをＩＩに加える。
ＶＩ    ＥをＩＩＩ中に混ぜる。
Ｖ      ｐＨ値を４．９に調節する。
【０２１４】
処方例２１（シャワーバス）
Ａ  例２のリン酸エステル(Clariant)                      ３．００％
Ａｒｉｓｔｏｆｌｅｘ（登録商標）ＰＥＡ(Clariant)    ２．００％
ポリプロピレン−テレフタレート
Ｂ  水                                                  残量
Ｃ  Ｇｅｎａｐｏｌ（登録商標）ＬＲＯ液状(Clariant)      ３０．００％
ラウレス硫酸ナトリウム
Ｇｅｎａｐｏｌ（登録商標）ＬＡ０３０(Clariant)      １．５０％
ラウレス−３
Ｈｏｓｔａｐｏｎ（登録商標）ＣＬＧ(Clariant)        ５．００％
ラウロイルグルタミン酸ナトリウム
Ｇｅｎａｇｅｎ（登録商標）ＫＢ(Clariant)            ６．００％
ココベタイン
香料                                                ０．３０％
染料                                                適量
サリチル酸ナトリウム                                ０．５０％
調製：
Ｉ      ５０℃でＡをＢ中に溶解する。
ＩＩ    Ｃの成分をＩ中に順に混ぜ入れる。
ＩＩＩ  ｐＨ値を４．８に調節する。
【国際調査報告】
2010535254.tif 000021
2010535254.tif 000022
2010535254.tif 000023
2010535254.tif 000024